(57)【要約】【課題】ベース値を４０％〜６０％と高く設定しつつ、遊技店の利益確保と遊技者の遊技意欲とを保ち得る弾球遊技機を提供する。【解決手段】大当りの当選確率を１／３２０以上、始動口の入賞率を１／１５〜１／８、およびベース値を４０％〜６０％に設定し、大当りにより行われる開閉ラウンドの継続回数を、その期待値が最大ラウンド数の３５％〜６０％となるように、制御するようにした。本構成によれば、遊技者の遊技意欲と遊技店の利益とを保ちつつ、遊技環境の健全性を向上できる。【選択図】図１２
2018175724.tif 000002
【特許請求の範囲】
【請求項１】
遊技球が流下する遊技領域に配設され、該遊技球を常時入賞可能な入賞口と、
前記遊技領域に配設され、遊技球を入賞可能な開放状態と入賞不能な閉鎖状態とに開閉される大入賞口と、
前記遊技領域に配設され、狙って発射された遊技球が所定の入賞率で入賞可能な始動口と、
前記始動口への遊技球入賞を契機として、１／３２０以上に設定された当選確率により当否判定する大当り判定手段と、
前記大当り判定手段による当否判定で当りとなった場合に、前記大入賞口を開閉させる開閉ラウンドを、所定の回数値を上限として一又は複数回繰り返す大当り遊技を実行する特別遊技制御手段とを備えた弾球遊技機において、
前記始動口を狙って発射された遊技球の入賞率が、１／１５〜１／８に設定され、さらに、少なくとも前記大当り遊技中を含む遊技者に有利な遊技状態中を除く所定の単位期間で、遊技領域に発射した遊技球の発射個数に対して、発生した賞球数の割合を示すベース値が、４０％〜６０％に設定されてなるものであり、
前記特別遊技制御手段は、前記開閉ラウンドを繰り返し実行する継続回数の期待値が、前記上限の回数値の３５％〜６０％となるように、該開閉ラウンドの継続回数を制御する継続制御手段を備えていることを特徴とする弾球遊技機。
【請求項２】
特別遊技制御手段の前記継続制御手段は、大当り判定手段による当否判定で当りとなった場合に、所定契機で抽選した乱数値に基づいて、該開閉ラウンドの継続回数を決めるようにしていることを特徴とする請求項１に記載の弾球遊技機。
【請求項３】
前記大入賞口の内部に、該大入賞口に入賞した遊技球を通過可能な一般領域と継続領域とを備え、さらに該一般領域と継続領域とのいずれかに該遊技球を通過させる誘導機構を備えてなり、
特別遊技制御手段の前記継続制御手段は、上限にあたる最終回の開閉ラウンドを除く開閉ラウンドで、前記継続領域への遊技球通過に基づいて、次の開閉ラウンドを実行することを決定する継続決定処理と、
開閉ラウンドの継続回数の期待値が上限の回数値の３５％〜６０％となるように、前記誘導機構を駆動制御する機構駆動処理とを備えていることを特徴とする請求項１に記載の弾球遊技機。
【請求項４】
特別遊技制御手段の前記継続制御手段は、上限にあたる最終回の開閉ラウンドを除く開閉ラウンドで、遊技球が前記大入賞口に入賞するタイミングに起因して抽選した乱数値に基づいて、次の開閉ラウンドを実行することを決定する継続決定処理を備え、
該継続決定処理は、前記乱数抽選により、開閉ラウンドの継続回数の期待値が上限の回数値の３５％〜６０％となるようにしたものであることを特徴とする請求項１に記載の弾球遊技機。
【請求項５】
遊技領域に発射された遊技球の発射数と、発生した賞球数とを検知して、所定の単位期間におけるベース値を取得するベース値取得手段を備え、
特別遊技制御手段の前記継続制御手段は、前記ベース値取得手段により取得したベース値に応じて、開閉ラウンドの継続回数を調整制御する継続調整処理を備えていることを特徴とする請求項１乃至請求項４のいずれか１項に記載の弾球遊技機。
【発明の詳細な説明】
【技術分野】
【０００１】
本発明は、始動口への遊技球の入賞を契機として当否判定し、当りの場合に大入賞口を開閉する開閉ラウンドを実行する弾球遊技機に関する。
【背景技術】
【０００２】
従来の弾球遊技機には、始動口に遊技球が入賞することを契機として当否判定し、当りの場合に、大入賞口を開閉する開閉ラウンドを、所定の回数値を上限として繰り返し実行するものがある。こうした弾球遊技機では、従来、大入賞口の内部に継続領域が設けられており、該継続領域を遊技球が通過することによって、次の開閉ラウンドの実行が決定される。そして、大入賞口に入球した遊技球は比較的容易に継続領域を通過可能であったことから、一度の当りで、開閉ラウンドは、前記した上限の回数値まで繰り返し実行されることがほとんどであった。
しかし、近年では、継続領域が設けられず、自動的に上限の回数値まで開閉ラウンドが繰り返し実行される弾球遊技機が大半である。この構成の開閉ラウンドは、大入賞口に所定個数の遊技球が入賞するか、所定時間経過するまで開放され、その後に閉鎖されて再び開放されるようにして、前記上限の回数値まで繰り返し実行される。
【０００３】
ところで、従来の弾球遊技機の遊技領域には、始動口や大入賞口の他に、遊技球を常時入賞可能な入賞口が配設されており、これら始動口、大入賞口、および入賞口へ遊技球が入賞する毎に、賞球が発生する。さらに、遊技領域には複数の遊技釘が配設されており、該遊技釘によって、前記した始動口、大入賞口、および入賞口への遊技球の入賞率が夫々設定されている。
【０００４】
こうした弾球遊技機では、少なくとも大入賞口への遊技球入賞による賞球を除き、所定の単位期間で、遊技球の発射数に対して、発生した賞球数の割合を示すベース値が、３０％を基準として設定されている。これは、特許文献１の段落「００６３」に記載されているように、遊技者の射幸心を煽るギャンブル性を抑制して、健全な遊技環境を提供するために設定されている。
一方で、従来の弾球遊技機は、大入賞口を開閉させる当りを連続して発生させて多大な賞球を獲得可能する構成として、遊技者の賞球に対する魅力を高めることで、集客性を向上させるようにしていた。しかし、一旦当りとなると、多大な賞球が発生することから、遊技店の利益を確保するためには、前記したベース値を抑制することが必要であった。こうしたことから、遊技店の利益確保と遊技環境の健全性との両立には、３０％がベース値の限界であった。
【先行技術文献】
【特許文献】
【０００５】
【特許文献１】特開平１０−３０９３６５号公報（段落「００６３」参照）
【発明の概要】
【発明が解決しようとする課題】
【０００６】
ところで、弾球遊技機では、大入賞口を開閉させる当りが発生するまで、多くの遊技球を消費する。そのため、前記遊技球の消費を抑制することで遊技の健全性を一層高めるように、上記したベース値をさらに高く設定することが求められている。しかし、ベース値を高くすると、相対的に遊技店の利益が低下してしまうことから、該遊技店の利益を確保するためには、前記当りの発生を低減させる対策が必要となる。こうした対策は、当選確率を低下させること、又は始動口への遊技球の入賞率を低下させることで実現できるものの、いずれの場合も、遊技者の遊技意欲を低減させ易く、遊技者の遊技離れを招く虞があった。
【０００７】
本発明は、ベース値を３０％よりも高く設定しつつ、遊技店の利益確保と遊技者の遊技意欲とを保ち得る弾球遊技機を提供することを目的とする。
【課題を解決するための手段】
【０００８】
本発明は、遊技球が流下する遊技領域に配設され、該遊技球を常時入賞可能な入賞口と、前記遊技領域に配設され、遊技球を入賞可能な開放状態と入賞不能な閉鎖状態とに開閉される大入賞口と、前記遊技領域に配設され、狙って発射された遊技球が所定の入賞率で入賞可能な始動口と、前記始動口への遊技球入賞を契機として、１／３２０以上に設定された当選確率により当否判定する大当り判定手段と、前記大当り判定手段による当否判定で当りとなった場合に、前記大入賞口を開閉させる開閉ラウンドを、所定の回数値を上限として一又は複数回繰り返す大当り遊技を実行する特別遊技制御手段とを備えた弾球遊技機において、前記始動口を狙って発射された遊技球の入賞率が、１／１５〜１／８に設定され、さらに、少なくとも前記大当り遊技中を含む遊技者に有利な遊技状態中を除く所定の単位期間で、遊技領域に発射した遊技球の発射個数に対して、発生した賞球数の割合を示すベース値が、４０％〜６０％に設定されてなるものであり、前記特別遊技制御手段は、前記開閉ラウンドを繰り返し実行する継続回数の期待値が、前記上限の回数値の３５％〜６０％となるように、該開閉ラウンドの継続回数を制御する継続制御手段を備えていることを特徴とする弾球遊技機である。
【０００９】
ここで、大入賞口と始動口とは、夫々の配設数が一個でも複数個でもよく、夫々で同数でも異なる数でもよい。そして、複数の大入賞口を配設した構成では、大当り判定手段による当選確率が、夫々の大入賞口で同じであってもよいし、異なっていてもよい。また、複数の始動口を配設した構成では、夫々への遊技球の入賞率が、同じであってもよいし、異なっていてもよい。一方、入賞口の配設個数は、一個でも複数個でもよく、適宜設定できる。
【００１０】
かかる構成によれば、始動口の入賞を契機とする当否判定で当りとなった場合に、開閉ラウンドが上限の回数値まで継続する確率が低いことから、一回の当りで発生する賞球数を低減できる。そして、この当りによる賞球数の低減によって、ベース値を４０％〜６０％とすることで生ずる遊技店の不利益を補填できる。さらに、本発明の構成による前記当否判定の当選確率および始動口への入賞率によれば、遊技者の当りに対する期待感を、従来と同様に保つことができる。したがって、本構成は、遊技者の遊技意欲と遊技店の利益とを保ちつつ、従来で３０％を限界としていたベース値を４０％〜６０％に高めて、遊技環境の健全性を向上できる。
【００１１】
また、本構成は、開閉ラウンドの継続回数を、その期待値が上限の回数値の３５％〜６５％となるように制御するものであるから、当り毎に該継続回数が変わると共に、該継続回数が上限の回数値に到達する可能性も有している。そのため、当り毎に、開閉ラウンドの継続回数が上限の回数値まで到達することを遊技者に期待させるという、従来に無い新たな遊技性が発揮される。したがって、本構成によれば、従来から有する当りの発生を遊技者に期待させる遊技性に加えて、当りの発生後にも前記した新たな遊技性を有することから、遊技の興趣を向上でき、該遊技者の遊技意欲を一層高めことができる。
【００１２】
上述した本発明の弾球遊技機にあって、特別遊技制御手段の前記継続制御手段は、大当り判定手段による当否判定で当りとなった場合に、所定契機で抽選した乱数値に基づいて、該開閉ラウンドの継続回数を決めるようにしている構成が提案される。
【００１３】
かかる構成にあっては、乱数抽選によって開閉ラウンドの継続回数をランダムに決めるものであり、当り毎に該継続回数が様々に変化することから、該継続回数に対する遊技者の期待感を効果的に高めることができる。そのため、本構成によれば、当り発生後における遊技性を向上させるという上述した本発明の作用効果を、一層向上できる。ここで、本構成の乱数抽選は、該抽選により決まる継続回数の期待値が上限の回数値の３５％〜６５％となるように設定されるものである。
【００１４】
上述した本発明の弾球遊技機にあって、前記大入賞口の内部に、該大入賞口に入賞した遊技球を通過可能な一般領域と継続領域とを備え、さらに該一般領域と継続領域とのいずれかに該遊技球を通過させる誘導機構を備えてなり、特別遊技制御手段の前記継続制御手段は、上限にあたる最終回の開閉ラウンドを除く開閉ラウンドで、前記継続領域への遊技球通過に基づいて、次の開閉ラウンドを実行することを決定する継続決定処理と、開閉ラウンドの継続回数の期待値が上限の回数値の３５％〜６０％となるように、前記誘導機構を駆動制御する機構駆動処理とを備えた構成が提案される。
【００１５】
かかる構成にあっては、開閉ラウンドで継続領域への遊技球通過によって次の開閉ラウンドへの移行を決めるものであり、各開閉ラウンド毎に、次の開閉ラウンドへの移行を期待する遊技者の感情を効果的に刺激できる。そのため、本構成によれば、当り発生後における遊技性を向上させるという上述した本発明の作用効果を、一層向上できる。
【００１６】
上述した本発明の弾球遊技機にあって、特別遊技制御手段の前記継続制御手段は、上限にあたる最終回の開閉ラウンドを除く開閉ラウンドで、遊技球が前記大入賞口に入賞するタイミングに起因して抽選した乱数値に基づいて、次の開閉ラウンドを実行することを決定する継続決定処理を備え、該継続決定処理は、前記乱数抽選により、開閉ラウンドの継続回数の期待値が上限の回数値の３５％〜６０％となるようにしたものである構成が提案される。
【００１７】
かかる構成にあっては、最終回の開閉ラウンド以外の各開閉ラウンドで、大入賞口への遊技球入賞に起因して行う乱数抽選によって、次の開閉ラウンドへの移行を決めるものであり、次の開閉ラウンドへの移行を期待する遊技者の感情を効果的に刺激できる。そのため、本構成によれば、当り発生後における遊技性を向上させるという上述した本発明の作用効果を、一層向上できる。
【００１８】
上述した本発明の弾球遊技機にあって、遊技領域に発射された遊技球の発射個数と、発生した賞球数とを検知して、所定の単位期間におけるベース値を取得するベース値取得手段を備え、特別遊技制御手段の前記継続制御手段は、前記ベース値取得手段により取得したベース値に応じて、開閉ラウンドの継続回数を調整制御する継続調整処理を備えている構成が提案される。
【００１９】
ここで、弾球遊技機が遊技場で比較的長期に亘って使用されていると、遊技釘への遊技球の衝突回数が増大し、これに伴って該遊技釘に変形などを生ずる虞がある。遊技釘は、入賞口への入賞率を決める重要な役目を有するものであり、前記変形等を生ずると、入賞口への入賞率が当初設定された基準から変わってしまい、総じてベース値が当初設定された基準値から変化することもあり得た。ベース値の変化は、遊技者の獲得可能な利益を増減させてしまうことから、望ましくないが、前記変形した遊技釘の調整を行うことは手間と費用がかかり面倒であった。
【００２０】
かかる本構成によれば、上記のようにベース値が変化した場合に、該変化に応じて開閉ラウンドの継続回数を調整することで、元のベース値と同レベルに復元できるから、遊技者の獲得可能な略一定に利益を保つことができる。したがって、本構成は、比較的長期に亘って使用されることでベース値が変わっても、遊技の公平性を保つことができる。
【００２１】
また、遊技場（遊技店）に設置後に、故意に遊技釘が変形されることで、ベース値が変更されることも考えられる。こうした故意の変更に対しても、本構成によれば、元のベース値と同レベルに調整できることから、該故意の行為を無効化することもでき得る。
【図面の簡単な説明】
【００２２】
【図１】本発明にかかるパチンコ機１の正面図である。
【図２】パチンコ機１の遊技盤２の正面図である。
【図３】パチンコ機１の裏面図である。
【図４】実施例１の電気的構成を示すブロック図である。
【図５】実施例１のメインルーチンの概要を示すフローチャートである。
【図６】実施例１の始動入賞処理を示すフローチャートである。
【図７】実施例１の当否判定処理を示すフローチャートである。
【図８】実施例１の特別遊技処理を示すフローチャートである。
【図９】同上の特別遊技処理を示すフローチャートである。
【図１０】同上の特別遊技処理を示すフローチャートである。
【図１１】同上の特別遊技処理を示すフローチャートである。
【図１２】実施例１のパチンコ機１の仕様の一部を説明する図表である。
【図１３】実施例１の継続回数決定テーブルを示す図表である。
【図１４】実施例２の大入賞口１４の内部構造を示す説明図である。
【図１５】実施例２の電気的構成を示すブロック図である。
【図１６】実施例２のメインルーチンの概要を示すフローチャートである。
【図１７】実施例２の特別遊技処理を示すフローチャートである。
【図１８】実施例２の特別遊技処理を示すフローチャートである。
【図１９】実施例３の特別遊技処理を示すフローチャートである。
【図２０】実施例３の特別遊技処理を示すフローチャートである。
【図２１】実施例４の賞球処理を示すフローチャートである。
【図２２】実施例４の別例の継続回数決定テーブルを示す図表である。
【図２３】実施例３の別例の継続抽選結果表示処理を示すフローチャートである。
【図２４】実施例３の別例の継続抽選履歴表示処理を示すフローチャートである。
【発明を実施するための形態】
【００２３】
本発明の実施形態について、図面を用いて説明する。尚、実施例のパチンコ機１が、本発明にかかる弾球遊技機に相当する。
【実施例１】
【００２４】
パチンコ機１は、図１に示すように、縦長の固定外郭保持枠をなす外枠５１によって構成の各部を保持する構造である。外枠５１には、その左側上下に設けられたヒンジ５３を介して、内枠７０が該外枠５１に対して開閉可能に取り付けられている。また、内枠７０の前面には、前枠（ガラス枠）５２が該内枠７０に対して開放可能に取り付けられおり、前枠５２には、板ガラス６１が脱着可能に設けられている。さらに、板ガラス６１の奥側（後側）には、内枠７０に取り付けられた遊技盤２（図２）が配設されている。
【００２５】
前枠５２には、その上部左右に、スピーカ６６が配設されており、該スピーカ６６から発せられる遊技音や警報音によって、遊技の趣向性を向上させたり、遊技者に注意喚起する。また、前枠５２には、遊技状態に応じて発光する枠側装飾ランプ６５が複数配設されており、該発光によって遊技の趣向性を向上させる。さらに、前枠５２の下部には、上皿５５と下皿６３とが一体的に設けられており、該下皿６３の右方に発射ハンドル６４が配設されている。この発射ハンドル６４は、遊技者によって時計回りに回動操作されることで、図示しない発射装置を可動させて、上皿５５から供給される遊技球を遊技盤２の遊技領域３に向かって発射する。
【００２６】
上皿５５には、賞球や貸球が払い出される。また、下皿６３は、上皿５５から溢れた賞球を受ける構成で、該下皿６３内の遊技球を排出する球抜きレバー（図示せず）を備える。この球抜きレバーが遊技者により操作されることで、下皿６３に貯まった遊技球を別箱（ドル箱）に移すことができる。
【００２７】
本実施例のパチンコ機１は、所謂ＣＲ機であって、プリペイドカードの読み書きなどを行うプリペイドカードユニット（ＣＲユニット）５６が隣接されている。パチンコ機１には、貸出ボタン５７、精算ボタン５８、および残高表示装置５９を有するＣＲ精算表示装置２５（図４参照）が設けられている。また、上皿５５の中央部には、遊技者が操作可能な演出ボタン６７、ジョグダイヤル６８、および決定ボタン６９が設けられている。
【００２８】
尚、本実施例のパチンコ機１は、上皿５５と下皿６３とを備えた構成であるが、これら皿を備えない封入式遊技機であっても良い。封入式遊技機は、所定数の遊技球を機内に封入し、発射した遊技球を機内で回収して循環的に使用することで遊技を行うものである。
【００２９】
図２は、パチンコ機１の遊技盤２の正面図である。遊技盤２には、ガイドレール３ａ，３ｂによって囲まれた略円形の遊技領域３が設けられ、該遊技領域３には多数の遊技釘４が植設されている。遊技領域３の中央部には、センターケース５が配設されており、該センターケース５の中央に演出図柄表示装置６（全体の図示は省略）のＬＣＤ画面が前方から視認可能に配設されている。このセンターケース５には、図示しないワープ入口、ワープ通路、ステージ等も設けられている。また、発射された遊技球がガイドレール３ｂの先端から飛び出して遊技領域３に到達した箇所に、発射球検出スイッチ１００（図４参照）が配設され、発射後に遊技領域３に到達した全ての遊技球を検出している。
【００３０】
センターケース５の直下には、第一始動口１１が配設され、該センターケース５の右方には、普通図柄作動ゲート１７と第二始動口１２とがユニット化された複合入賞装置が配設されている。第二始動口１２は開閉可能な翼片を備えた普通電動役物により構成されており、この翼片の開放状態でのみ遊技球を入賞可能とする構成である。さらに、センターケース５の右下方（第一始動口１１の右方）には、大入賞口１４が配設されている。また、第一始動口１１の左方に、第一〜第三普通入賞口３１〜３３が配設されると共に、大入賞口１４の右方に、第四普通入賞口３４が配設されている。これら普通入賞口３１〜３４は、遊技球を常時入賞可能な構成である。尚、前記した第一始動口１１および第二始動口１２が、本発明にかかる始動口に相当し、普通入賞口３１〜３４が、本発明にかかる入賞口に相当する。
【００３１】
遊技領域３の最下流部には、アウト口１０１が配設されており、該遊技領域３に発射された遊技球がいずれの入賞口や始動口にも入賞しなかった場合に、該アウト口１０１に入球する。尚、アウト口１０１に入球しても賞球は払い出されず、遊技機裏面から機外へ排出される。
【００３２】
遊技盤２の右下部には、複数個のＬＥＤからなる普通図柄表示装置７と、普図保留数表示装置８と、第一特別図柄保留数表示装置１８と、第二特別図柄保留数表示装置１９と、７セグメント表示装置からなる第一特別図柄表示装置９および第二特別図柄表示装置１０とが配設されている。
【００３３】
図３は、パチンコ機１の裏面図である。パチンコ機１の裏側には、上記の遊技盤２を脱着可能に取り付けた内枠７０が外枠５１に収納されている。内枠７０には、上方から、球タンク７１、タンクレール７２、および払出装置７３が設けられている。この構成により、遊技盤２に設けられた上記した各入賞口等に遊技球の入球があると、球タンク７１からタンクレール７２を介して供給される遊技球が、賞球として、払出装置７３により上皿５５へ払い出される。また、上記したＣＲユニット５６の貸出ボタン５７および精算ボタン５８が操作されると、払出装置７３によって、貸球が払い出される。
【００３４】
また、パチンコ機１の裏側には、主制御装置８０、払出制御装置８１、演出図柄制御装置８２、サブ統合制御装置８３、発射制御装置８４、電源基板８５が配設されている。主制御装置８０、演出図柄制御装置８２、およびサブ統合制御装置８３は、遊技盤２に設けられており、払出制御装置８１、発射制御装置８４、および電源基板８５は、内枠７０に設けられている。尚、図３では、発射制御装置８４が描かれていないが、払出制御装置８１の下に設けられている。また、球タンク７１の右側には、外部接続端子７８が設けられており、該外部接続端子７８により、遊技状態や遊技結果を示す信号が図示しないホールコンピュータに送られる（図４参照）。尚、従来は、ホールコンピュータへ信号を送信するための外部接続端子７８には、盤用（遊技盤側から出力される信号をホールコンピュータへ出力するための端子）と枠側（前枠５２、内枠７０、外枠５１）から出力される信号をホールコンピュータに出力するための端子）の二種類を用いているが、本実施例では、一の外部接続端子７８を介してホールコンピュータへ遊技状態や遊技結果を示す信号を送信している。
【００３５】
図４は、パチンコ機１の電気配線を示すブロック図である。尚、この図４には、煩雑になる電源の供給系統に関して記載していないが、電源が必要な制御装置もしくはアクチュエータ類には、電源装置（図示せず）から直接的または間接的に電源供給される構成となっている。
【００３６】
パチンコ機１の電気的構成は、主制御装置８０を中心として、払出制御装置８１、演出図柄制御装置８２、およびサブ統合制御装置８３を配設した構成である。これら主制御装置８０、払出制御装置８１、演出図柄制御装置８２、およびサブ統合制御装置８３は、いずれもＣＰＵ、ＲＯＭ、ＲＡＭ、入力ポート、および出力ポートなどを備え、各ＣＰＵが、２ｍｓ周期の割込信号により各ＲＯＭに搭載されたプログラムを開始し、各種制御を実行する。尚、発射制御装置８４は、ＣＰＵ、ＲＯＭ、およびＲＡＭを備えていないが、これに限らず、ＣＰＵ、ＲＯＭ、およびＲＡＭを備えた構成であってもよい。
【００３７】
主制御装置８０には、遊技盤中継端子板７４を介して、第一始動口１１に入球した遊技球を検出する第一始動口スイッチ１１ａ、第二始動口１２に入球した遊技球を検出する第二始動口スイッチ１２ａ、普通図柄作動ゲート１７を通過した遊技球を検出する普通図柄作動スイッチ１７ａ、大入賞口１４に入球した遊技球を計数するためのカウントスイッチ１４ａ、第一〜第四の普通入賞口３１〜３４に入球した遊技球を夫々検出する各入賞口スイッチ３１ａ〜３４ａ、アウト口１０１に入球した遊技球を検出するアウト口スイッチ１０１ａ、上記した発射球検出スイッチ１００等からの検出信号が入力される。
【００３８】
主制御装置８０は、そのＲＯＭに搭載されたプログラムに従って動作して、上記の検出信号等に基づいて遊技の進行に関わる各種のコマンドを生成し、該コマンドを払出制御装置８１、演出図柄制御装置８２、およびサブ統合制御装置８３へ出力する。また、主制御装置８０は、図柄表示装置中継端子板９０を介して、第一特別図柄表示装置９、第二特別図柄表示装置１０、および普通図柄表示装置７の表示制御を行うと共に、第一特別図柄保留数表示装置１８、第二特別図柄保留数表示装置１９、および普図保留数表示装置８の点灯制御を行う。さらに、主制御装置８０には、遊技盤中継端子板７４を介して、大入賞口ソレノイド１４ｂおよび普通電動役物ソレノイド１２ｂも接続されている。主制御装置８０は、大入賞口ソレノイド１４ｂを制御することで大入賞口１４の開閉を制御し、普通電動役物ソレノイド１２ｂを制御することで第二始動口１２の開閉を制御する。主制御装置８０からの出力信号は、図柄変動や大当り等の管理用の信号が外部接続端子７８に出力されてホールコンピュータに送られる。
【００３９】
払出制御装置８１は、主制御装置８０と双方向通信が可能に構成されており、主制御装置８０から送信されるコマンドに応じて、払出装置７３の払出モータ２０を駆動させて賞球を払い出す。本実施例では、賞球として払い出される遊技球を計数するための払出スイッチ２１の検出信号が、主制御装置８０と払出制御装置８１とに入力され、両者で賞球の計数を行う構成である。
【００４０】
さらに、払出制御装置８１には、満杯スイッチ２２および球切れスイッチ２３からの信号が入力される。満杯スイッチ２２は、下皿６３が満杯であることを検出するものであり、この検出に伴って信号を払出制御装置８１に出力する。球切れスイッチ２３は、球タンク７１で遊技球の貯留量が少ないこと又は貯留量が無いことを検出するものであり、この検出に伴って信号を払出制御装置８１に出力する。払出制御装置８１は、これら満杯スイッチ２２および球切れスイッチ２３から信号を入力すると、払出モータ２０を駆動停止させて、賞球の払出作動を停止させる。尚、満杯スイッチ２２および球切れスイッチ２３は、前記検出した状態が解消されるまで信号を出力し続ける構成になっており、払出制御装置８１は、該信号の入力停止によって、払出モータ２０の駆動を再開する。
【００４１】
払出制御装置８１は、ＣＲユニット端子板２４を介してＣＲユニット５６と交信可能であり、貸出コマンドに応じて払出モータ２０を駆動させて貸球を払い出す。ＣＲユニット端子板２４は、精算表示装置２５とも双方向通信可能接続されており、精算表示装置２５に設けられた球貸スイッチと精算スイッチとからの信号が入力される。球貸スイッチは、貸出ボタン５７の操作を検出して信号を出力するものであり、精算スイッチは、精算ボタン５８の操作を検出して信号を出力するものである。また、払出制御装置８１は、発射制御装置８４にも接続されており、所定契機で該発射制御装置８４へ発射停止コマンドを送信する。
【００４２】
発射制御装置８４は、発射モータ３０を制御して遊技球を遊技領域３に発射させるものである。この発射制御装置８４には、上記した払出制御装置８１の他に、発射ハンドル６４からの回動量信号、タッチスイッチ２８からのタッチ信号、発射停止スイッチ２９からの発射停止信号が入力される。回動量信号は、遊技者が発射ハンドル６４を回動操作することで出力され、タッチ信号は、遊技者が発射ハンドル６４を触ることで出力され、発射停止信号は、遊技者が発射停止スイッチ２９を押すことで出力される。尚、発射制御装置８４は、タッチ信号を入力していなければ、遊技球を発射しないように制御すると共に、発射停止信号が入力されているときにも、発射ハンドル６４の操作に関わらず、遊技球を発射しないように制御している。
【００４３】
サブ統合制御装置８３は、主制御装置８０から送信されたデータおよびコマンドを受信し、これらを演出表示制御用、音制御用およびランプ制御用のデータに振り分けて、演出表示制御用のコマンドなどを演出図柄制御装置８２へ送信し、音制御用およびランプ制御用のデータを自身に含まれている各制御部位（音声制御装置およびランプ制御装置しての機能部品）に分配する。そして、音声制御装置としての機能部は、音声制御用のデータに基づいて音ＬＳＩを作動させることによって、スピーカ６６から音声を出力制御し、ランプ制御装置としての機能部は、ランプ制御用のデータに基づいてランプドライバを作動させることによって、各種ＬＥＤやランプ６５を発光制御する。
【００４４】
さらに、サブ統合制御装置８３には、演出ボタンやジョグダイヤル等の操作を夫々検出するスイッチが接続されており、各スイッチが遊技者による操作を検出すると、その信号が入力される。
【００４５】
演出図柄制御装置８２は、サブ統合制御装置８３から送信されたデータおよびコマンド（主制御装置８０から送信されたものと、サブ統合制御装置８３で主制御装置８０からの入力および演出ボタン等の入力に基づいて生成されたもの）に基づく制御を行い、擬似図柄などの演出画像を演出図柄表示装置６の画面に表示される。尚、サブ統合制御装置８３と主制御装置８０との間は、演出中継端子板７５を介して主制御装置８０からサブ統合制御装置８３への一方向通信回路として構成され、サブ統合制御装置８３と演出図柄制御装置８２との間は、サブ統合制御装置８３から演出図柄制御装置８２への一方向通信回路として構成されている。
【００４６】
電源基板８５は、外部のＡＣ電源から供給される電力により直流電圧を生成する直流電源として構成されており、該電源基板８５に設けられた電源スイッチの操作によってパチンコ機１を構成する各部位に電力を供給する。この電源基板８５は、コンデンサなどから構成されるバックアップ電源を備えており、ＡＣ電源から電力供給中に該バックアップ電源に電力を蓄える。これにより、停電時には、主制御装置８０等（例えば、主制御装置８０のＲＡＭ等）に電力供給し、ＡＣ電源からの電力供給が停止後も、一定期間にわたって主制御装置８０のＲＡＭ内のデータが保持される。尚、バックアップ電源は、主制御装置８０に設けても良いし、電源基板８５以外の他の装置に設けて良い。この場合には、電源基板は、ＡＣ電源から電力供給されている状態で、バックアップ電源を備えた装置へ供給信号を出力し、電力供給が停止した状態で、バックアップ電源を備えた装置へ停電信号を出力する。
【００４７】
次に、本実施例のパチンコ機１の動作について説明する。
普通図柄作動ゲート１７を遊技球が通過（図４の普通図柄作動スイッチ１７ａが遊技球を検知）すると、普通図柄表示装置７で普通図柄が変動表示を開始し、所定時間後に停止した普通図柄が所定の当り態様であると、普通電動役物の羽根部材が駆動して、第二始動口１２へ遊技球が入賞可能となる。ここで、普通電動役物の羽根部材は、一回の普通図柄の当りによって、通常状態で０．２秒間の開放を一回実行し、時短状態で１秒間の開放を三回実行する。
【００４８】
第一始動口１１に遊技球が入球（図４の第一始動口スイッチ１１ａが遊技球を検出）すると、第一特別図柄表示装置９で第一特別図柄が変動を開始し、所定時間後に停止する。また、第二始動口１２に遊技球が入球（図４の第二始動口スイッチ１２ａが遊技球を検出）すると、第二特別図柄表示装置１０で第二特別図柄が変動を開始し、所定時間後に停止する。こうした第一特別図柄および第二特別図柄の変動中は、演出図柄表示装置６で各特別図柄の変動に連動した擬似図柄の演出変動を表示する。この演出図柄表示装置６での擬似図柄の表示によって、各特別図柄の変動や当りハズレを認識できる。ここで、第一特別図柄と第二特別図柄とは、第一始動口１１と第二始動口１２への入球順に関係無く、第二特別図柄の変動を優先して実行する。具体的には、第一特別図柄の保留記憶がある場合、第二特別図柄の変動が停止し且つ該第二特別図柄の保留記憶が無い状態となって、保留記憶されている第一特別図柄の変動を開始する。
【００４９】
第一特別図柄表示装置９で停止した第一特別図柄および第二特別図柄表示装置１０で停止した第二特別図柄が所定の大当り態様であると、大入賞口１４を開閉する大当り遊技を実行する。また、演出図柄表示装置６では、第一特別図柄および第二特別図柄の当り態様に対応する態様で擬似図柄が表示される。
【００５０】
大当り遊技では、大入賞口１４を開閉する開閉ラウンドを一又は複数回繰り返し実行する。大入賞口１４には、後述する大入賞口ソレノイド１４ｂの駆動によって開閉作動する扉部材が設けられており、該扉部材の開閉作動により、遊技球を入球可能な開放状態と入球不能な閉鎖状態とに変換される。そして、扉部材による所定の開閉動作によって、一回の開閉ラウンドが実行される。大当り遊技では、この開閉ラウンドが、１６ラウンド（１６Ｒ）を上限として、一又は複数回繰り返される。ここで、大当り遊技で繰り返し実行される開閉ラウンドの継続回数は、本発明の要部にかかることから、その詳細は後述する。尚、１６ラウンドが、本発明にかかる上限の回数値に相当する。
【００５１】
また、本実施例のパチンコ機は、確率変動機として構成されている。すなわち、本構成による遊技は、大入賞口１４を閉鎖した遊技と該大入賞口１４を開放する上記の大当り遊技とに大別され、大入賞口１４を閉鎖した遊技には、通常確率状態（以下、通常状態という）と、該通常状態に比べて特別図柄の当り確率が高くなる高確率状態（以下、確率変動状態という）とが設定されており、大当り遊技の終了後に、該通常状態と確率変動状態とのいずれかに移行する。ここで、確率変動状態は、特別図柄の当り態様が所定の確率変動図柄による態様であった場合に、大当り遊技終了後に実行され、通常状態は、特別図柄の当り態様が所定の非確率変動図柄による態様であった場合に、大当り遊技終了後に実行される。
【００５２】
上記の通常状態では、大当り遊技から移行後に、規定回数（例えば、１００回）だけ特別図柄および普通図柄の変動時間が短縮され、且つ普通電動役物の開放時間と開放回数とが増加される時短状態となる。この時短状態では、特別図柄および普通図柄の変動時間（変動開始から停止して当否結果が表示されるまでの時間）が短縮されることによって、一定時間内で変動表示が行われる回数が増大する。そして、普通図柄の変動時間が短縮されることで、一定時間内で普通図柄が当りとなる回数が増加し、これに伴って普通電動役物の作動回数も増える。さらに、上記のように普通電動役物の開放時間が長く（１秒間）且つ開放回数が増加（三回）していることから、第二始動口１２に多数の遊技球が入賞し易くなる。こうしたことから、時短状態では、特別図柄の変動回数が増えるため、遊技者が有利な遊技を行い得る。
【００５３】
上記の確率変動状態では、時短状態と同様に、特別図柄および普通図柄の変動時間が短縮されると共に、普通電動役物の開放時間と開放回数とが増える。さらに、こうした時短状態と同様の有利な作動に加えて、特別図柄が当り態様で停止する確率（後述の当選確率に相当）が通常状態に比して高くなる。具体的には、通常状態では、この当選確率が１／３００であることに対して、確率変動状態では、この当選確率が１／３０となるため、遊技者にとって一層有利な遊技状態となる。
【００５４】
また、各始動口１１，１２、大入賞口１４、および各普通入賞口３１〜３４に遊技球が入球すると、夫々に設定された数の賞球が払い出される。具体的には、第一始動口１１への入球毎に３個の賞球が、第二始動口１２への入球毎に２個の賞球が、大入賞口１４への入球毎に１３個の賞球が、第一普通入賞口３１と第二普通入賞口３２への入球毎に８個の賞球が、第三普通入賞口３３への入球毎に１０個の賞球が、第四普通入賞口３４への入球毎に７個の賞球が払い出される。
【００５５】
次に、主制御装置８０で実行される各種プログラムの処理について説明する。
図５に、メインルーチンのフローチャートを示す。メインルーチンは、Ｓ１０〜Ｓ２４までの本処理と、該本処理を実行して余った時間内に時間の許す限り繰り返されるＳ２５の残余処理とから構成され、２ｍｓ毎のハード割り込みにより定期的に実行される。マイコンによるハード割り込みが実行されると、先ず正常割込であるか否かを判断する（Ｓ１０）。この判断処理は、メモリとしてのＲＡＭの所定領域の値が所定値であるか否かを判断することにより行われ、マイコンにより実行される処理が本処理に移行したとき、通常の処理を実行して良いか否かを判断するためのものである。
【００５６】
ここで、否定判定（すなわち、正常割り込みでないと判定）されると（Ｓ１０：Ｎｏ）、初期設定（Ｓ１１）を実行し、残余処理（Ｓ２５）に移行する。この初期設定では、例えば、上記ＲＡＭの所定領域への所定値の書き込み、特別図柄および普通図柄を初期図柄とする等のＲＡＭの作業領域への各初期値の書き込み等が実行される。一方、肯定判定（すなわち、正常割り込みであると判定）されると（Ｓ１０：Ｙｅｓ）、初期値乱数の更新処理（Ｓ１２）、大当り決定用乱数の更新処理（Ｓ１３）、第一大当り図柄決定用乱数の更新処理（Ｓ１４）、第二大当り図柄決定用乱数の更新処理（Ｓ１５）、継続回数決定用乱数の更新処理（Ｓ１６）、小当り図柄判定用乱数の更新処理（Ｓ１７）、当り決定用乱数の更新処理（Ｓ１８）、リーチ判定用乱数の更新処理（Ｓ１９）、変動パターン決定用乱数の更新処理（Ｓ２０）、入賞確認処理（Ｓ２１）、当否判定処理（Ｓ２２）、画像出力処理等の各出力処理（Ｓ２３）、不正監視処理（Ｓ２４）を行って、次に割り込み信号が入力されるまでの残余時間内で初期値乱数の更新処理（Ｓ２５）をループ処理する。尚、Ｓ１６の継続回数決定用乱数は、本発明の要部にかかり、詳細は後述する。
【００５７】
メインルーチンの入賞確認処理（Ｓ２１）では、サブルーチンとして、図６に示す始動入賞処理が実行される。この始動入賞処理は、第一始動口１１および第二始動口１２に遊技球が入球したとき、又は普通図柄作動ゲート１７を遊技球が通過したときに取得する当否判定等の各種乱数値を、保留記憶として記憶する。ここで、第一始動口１１に遊技球が入球したときに記憶される保留記憶を第一保留記憶とし、第二始動口１２に遊技球が入球したときに記憶される保留記憶を第二保留記憶とし、普通図柄作動ゲート１７を遊技球が通過したときに記憶される保留記憶を普図保留記憶とする。各保留記憶の上限数は、四個である。
【００５８】
始動入賞処理では、第一始動口スイッチ１１ａが遊技球を検出したか否かを判定する（Ｓ５０）。否定判定ならば（Ｓ５０：Ｎｏ）、Ｓ６０へ進む。Ｓ５０が肯定判定ならば（Ｓ５０：Ｙｅｓ）、主制御装置８０に記憶されている第一保留記憶の数が上限数（＝四個）未満か否かを判定する（Ｓ５１）。否定判定ならば（Ｓ５１：Ｎｏ）、Ｓ６０へ進み、肯定判定ならば（Ｓ５１：Ｙｅｓ）、抽出乱数保留記憶処理（Ｓ５２）を実行する。この抽出乱数保留記憶処理では、大当り決定用乱数値、第一大当り図柄決定用乱数値、第二大当り図柄決定用乱数値、継続回数決定用乱数値、小当り図柄判定用乱数値、リーチ決定用乱数値、および変動パターン決定用乱数値を抽出して、第一保留記憶として記憶し、第一保留記憶の数を示す第一保留記憶カウンタに１を加算する。さらに、第一保留数指示コマンド送信処理（Ｓ５３）を実行して、Ｓ５２で加算した第一保留記憶カウンタの値を示す第一保留数指示コマンドを、サブ統合制御装置８３に送信する。
【００５９】
同様に、第二始動口スイッチ１２ａが遊技球が検出したか否かを判定する（Ｓ６０）。否定判定ならば（Ｓ６０：Ｎｏ）、Ｓ７０へ進む。Ｓ６０が肯定判定ならば（Ｓ６０：Ｙｅｓ）、主制御装置８０に記憶されている第二保留記憶の数が上限数（＝四個）未満か否かを判定する（Ｓ６１）。否定判定ならば（Ｓ６１：Ｎｏ）、Ｓ７０へ進み、肯定判定ならば（Ｓ６１：Ｙｅｓ）、抽出した大当り決定用乱数値、第一大当り図柄決定用乱数値、第二大当り図柄決定用乱数値、継続回数決定用乱数値、小当り図柄判定用乱数値、リーチ決定用乱数値、および変動パターン決定用乱数値を第二保留記憶として記憶し、第二保留記憶の数を示す第二保留記憶カウンタに１を加算する抽出乱数保留記憶処理（Ｓ６２）を実行する。さらに、第二保留数指示コマンド送信処理（Ｓ６３）を実行して、Ｓ６２で加算した第二保留記憶カウンタの値を示す第二保留数指示コマンドを、サブ統合制御装置８３に送信する。
【００６０】
さらに、普通図柄作動スイッチ１７ａが遊技球を検出したか否かを判定する（Ｓ７０）。否定判定ならば（Ｓ７０：Ｎｏ）、リターンに抜け、肯定判定ならば（Ｓ７０：Ｙｅｓ）、主制御装置８０に記憶されている普図保留記憶数が上限値＝四個）未満か否かを判定する（Ｓ７１）。否定判定ならば（Ｓ７１：Ｎｏ）、リターンに抜け、肯定判定ならば（Ｓ７１：Ｙｅｓ）、抽出した当り判定用乱数値と当り図柄決定用乱数値とを普図保留記憶として記憶し、普図保留記憶数を示す普図保留記憶カウンタに１加算し（Ｓ７２）、加算した普図保留記憶カウンタの値を示す普図保留数指示コマンドを、サブ統合制御装置８３に送信し（Ｓ７３）、リターンする。
【００６１】
尚、サブ統合制御装置８３は、第一保留数指示コマンド、第二保留数指示コマンド、および普図保留数指示コマンドを受信すると、受信したコマンドが示す保留記憶数に応じて、第一特別図柄保留数表示装置１８、第二特別図柄保留数表示装置１９、および普図保留数表示装置８を点灯させるために必要な処理を行う。
【００６２】
本実施例では、上述したように始動入賞処理で、各乱数値（大当り決定用乱数値、第一大当り図柄決定用乱数値、第二大当り図柄決定用乱数値、継続回数決定用乱数値、小当り図柄判定用乱数値、リーチ決定用乱数値、および変動パターン決定用乱数値）を取得するようにしたが、これに限らず、これら乱数値を後述の当否判定処理で取得するようにしても良い。
【００６３】
メインルーチンの当否判定処理（Ｓ２２）では、図７に示すサブルーチンの処理を実行する。この当否判定処理は、第一始動口スイッチ１１ａ又は第二始動口スイッチ１２ａでの遊技球検出により抽出された各乱数値に基づいて特別遊技を実行するか否かを判定（抽出した乱数値により大当りかハズレかを判定）する処理であり、本発明にかかる大当り判定手段に相当する。そして、この当否判定処理における大当りが、本発明にかかる当りに相当する。
【００６４】
当否判定処理では、特別図柄の始動条件が成立しているか否かを判定する（Ｓ１００）。ここで、特別図柄の始動条件は、大当り遊技中、第一特別図柄および第二特別図柄が変動中、該第一特別図柄および第二特別図柄が確定停止中のいずれでもないことである。すなわり、Ｓ１００の判定処理では、大当り遊技中でないこと、第一特別図柄および第二特別図柄が変動中または確定表示中でないことを確認する。否定判定ならば（Ｓ１００：Ｎｏ）、リターンに抜け、肯定判定ならば（Ｓ１００：Ｙｅｓ）、第二保留記憶があるか否かを判定する（Ｓ１０１）。第二保留記憶があると（Ｓ１０１：Ｙｅｓ）、Ｓ１０３へ進み、第二保留記憶がないと（Ｓ１０１：Ｎｏ）、第一保留記憶があるか否かを判定する（Ｓ１０２）。第一保留記憶がない場合には（Ｓ１０２：Ｎｏ）、リターンに抜ける。第一保留記憶があると（Ｓ１０２：Ｙｅｓ）、Ｓ１０３に進む。このように本実施例は、Ｓ１０１とＳ１０２との判定順により、第二保留記憶の当否判定を優先して実行する構成である。尚、こうした当否判定の優先順序は適宜変更可能であるだけでなく、複数の特別図柄を同時に変動可能な構成とすれば、優先順序を設ける必要も無い。又、本実施例は、複数の特別図柄をもうけたが、一の特別図柄を有する構成であっても、本発明に何ら変わりはない。
【００６５】
Ｓ１０３では、保留記憶のシフト処理を行う。この処理では、最も古い保留記憶を当否判定の対象とすると共に、保留記憶数を示す保留記憶カウンタから１減算する。続く大当り決定用乱数比較処理（Ｓ１０４）では、当否判定の対象とした保留記憶の大当り決定用乱数値と予め設定された当否判定テーブルとを比較して、判定対象の大当り決定用乱数値が当否判定テーブル内の判定値と一致するか否かを確認する。当否判定テーブルは、通常確率（当選確率が１／３００）用と高確率（当選確率が１／３０）用の二種類が設定されており、当否判定時の遊技状態が通常状態（確変フラグ＝０）であれば、通常確率用の当否判定テーブルを有効として使用し、確率変動状態（確変フラグ＝１）であれば、高確率用の当否判定テーブルを有効として使用する。
【００６６】
この大当り決定用乱数比較処理により比較した結果が、大当り（判定値と一致）していると（Ｓ１０５：Ｙｅｓ）、図柄モード設定処理（Ｓ１０６）を行う。図柄モード設定処理では、当否判定の対象した保留記憶の種類（第一保留記憶、又は第二保留記憶）と当該保留記憶の第一大当り図柄決定用乱数値とに基づいて、大当り遊技の内容と大当り遊技終了後の遊技状態を決定する図柄モードとを決定する。続いて大当り図柄選択処理（Ｓ１０７）を行う。大当り図柄選択処理では、設定した図柄モードの種類と当否判定の対象となる保留記憶の第二大当り図柄決定用乱数値とに基づいて、前記図柄モード設定処理で決定した大当りの種類（大当り遊技の内容と大当り遊技終了後の遊技状態）を報知するための大当り図柄を、該図柄モードの種類毎に設定された図柄群の中から決定する。続いてモードバッファ設定処理（Ｓ１０８）を行う。モードバッファ設定処理では、前記図柄モード設定処理（Ｓ１０６）で設定した図柄モードに基づいて、モードバッファを設定する。ここで、モードバッファは、図柄モード設定処理で決定した大当り遊技終了後の遊技状態の内容（すなわち、確変フラグ、確変カウンタ、時短フラグ、時短カウンタ）を、大当り遊技終了時まで一時的に記憶する装置である。これは、大当り遊技中の状態を、通常状態と同じ状態としておく必要があるためである。
【００６７】
続いて開放パターン設定処理（Ｓ１０９）を行う。この開放パターン設定処理では、大当り遊技の内容となる大入賞口１４の開放パターンを設定する。続いて変動パターン選択処理（Ｓ１１０）を行う。変動パターン選択処理では、当否判定の対象とした保留記憶のリーチ判定用乱数値および変動パターン決定用乱数値に基づいて、第一特別図柄表示装置９又は第二特別図柄表示装置１０、および演出図柄表示装置６に表示する図柄の変動パターンを、変動パターン選択テーブルから選択する。ここで、変動パターン選択処理では、時短および確変状態と、通常状態とでは、有効とする変動パターン選択テーブルが異なり、時短および確変状態では、通常よりも短い変動時間の変動パターンが選択される。こうして選択した変動パターンによって、第一特別図柄または第二特別図柄、および擬似図柄の変動時間が決まる。尚、時短および確変状態と、通常状態とでは、有効とする変動パターン選択テーブルが異なるのみである。次に、こうして決定した大当り図柄および変動パターンを示す情報を、変動指示信号（変動指示コマンド）としてサブ統合制御装置８３へ送信する（Ｓ１１１）。サブ統合制御装置８３は、受信した変動指示コマンドに基づいて、演出図柄制御装置８２へコマンドを送信し、該演出図柄制御装置８２は、受信した該コマンドに従って演出図柄表示装置６を駆動制御して、大当り図柄および変動パターンの情報に対応する擬似図柄の変動表示を開始する。また、前記したサブ統合制御装置８３の変動指示コマンドの送信とほぼ同時に、主制御装置８０は、第一特別図柄表示装置９または第二特別図柄表示装置１０を直接的に駆動制御して第一特別図柄または第二特別図柄の変動を開始する。
【００６８】
一方、上記した大当り決定用乱数比較処理により比較した結果が、ハズレ（判定値と不一致）であると（Ｓ１０５：Ｎｏ）、当該結果が小当りであるか否か判定する。この判定結果が当りならば（Ｓ１２０：Ｙｅｓ）、小当り図柄を選択する小当り図柄選択処理（Ｓ１２１）を行う。続いて上記の開放パターン設定処理（Ｓ１０９）を行って、小当り遊技の開放パターンを設定し、上記の変動パターン選択処理（Ｓ１１０）を行って、小当り図柄に対応する変動パターンを選択する。そして、小当り図柄および変動パターンの情報を示す変動指示コマンドをサブ統合制御装置８３へ送信する（Ｓ１１１）。これにより、上記した大当りの場合と同様に、演出図柄表示装置６を駆動制御して、小当り図柄および変動パターンの情報に対応する擬似図柄の変動表示を開始する。また、主制御装置８０は、第一特別図柄または第二特別図柄の変動を開始する。
【００６９】
さらに、上記した小当りの判定結果がハズレならば（Ｓ１２０：Ｎｏ）、ハズレ図柄選択処理（Ｓ１２２）を行って、ハズレ図柄を選択する。そして、上記の変動パターン選択処理（Ｓ１１０）を行って、ハズレ図柄に対応する変動パタンを選択し、ハズレ図柄および変動パターンの情報を示す変動指示コマンドをサブ統合制御装置８３へ送信する。これにより、演出図柄表示装置６を駆動制御して、ハズレ図柄および変動パターンの情報に対応する擬似図柄の変動表示を開始する。また、主制御装置８０は、第一特別図柄または第二特別図柄の変動を開始する。
【００７０】
次に、図８〜図１１に示す特別遊技処理について説明する。特別遊技処理は、上記した当否判定処理により大当りとなった場合に、該当否判定処理の終了に伴って主制御装置８０により実行される。この特別遊技処理が、本発明にかかる特別遊技制御手段に相当する。
【００７１】
特別遊技処理では、先ず役物連続作動装置が作動中か否かを判定し（Ｓ２００）、否定判定ならば（Ｓ２００：Ｎｏ）、リターンに抜け、肯定判定ならば（Ｓ２００：Ｙｅｓ）、大入賞口１４が開放中か否かを判定する（Ｓ２０１）。大入賞口１４が開放されていなければ（Ｓ２０１：Ｎｏ）、インターバル中であるか否かを判定し（Ｓ２０２）、インターバル中でないならば（Ｓ２０２：Ｎｏ）、大当り終了演出中か否かを判定する（Ｓ２０３）。大当り終了演出中でないならば（Ｓ２０３：Ｎｏ）、大当り開始演出時間が終了したか否かを判定し（Ｓ２０４）、大当り開始演出時間が終了していないならば（Ｓ２０４：Ｎｏ）、リターンに抜け、該大当り開始演出時間が終了していれば（Ｓ２０４：Ｙｅｓ）、大入賞口を開放させる大入賞口開放処理（Ｓ２０５）を行い、サブ統合制御装置８３へ開放開始信号を送信して（Ｓ２０６）、リターンする。
【００７２】
上記の特別遊技処理で大入賞口１４が開放中であると（Ｓ２０１：Ｙｅｓ）、図９のＳ２１０へ進み、大入賞口１４の内部に設けたカウントスイッチ１４ａが遊技球を検出したか否かを判定する。ここで、カウントスイッチ１４ａが遊技球を検出していると（Ｓ２１０：Ｙｅｓ）、大入賞口１４への入賞個数が規定入賞数（９個）に達したか否かを判定する（Ｓ２１１）。そして、カウントスイッチ１４ａが遊技球を検出していない場合（Ｓ２１０：Ｎｏ）、または前記規定入賞数に達していない場合（Ｓ２１１：Ｎｏ）には、大入賞口１４の開放時間が終了したか否かを判定し（Ｓ２１２）、開放時間が終了していないならば（Ｓ２１２：Ｎｏ）、リターンに抜ける。一方、大入賞口１４への入賞個数が規定入賞数に達した場合（Ｓ２１１：Ｙｅｓ）、又は開放時間が終了した場合（Ｓ２１２：Ｙｅｓ）には、大入賞口１４を閉鎖する大入賞口閉鎖処理（Ｓ２１３）を行い、前記入賞個数をクリアする。そして、大当りインターバル演出の開始を指示するコマンドを、サブ統合制御装置８３へ送信し（Ｓ２１４）、リターンする。
【００７３】
上記の特別遊技処理でインターバル中であると（Ｓ２０２：Ｙｅｓ）、図１０のＳ２２０に進み、大当りインターバル時間が終了したか否かを判定し、否定判定ならば（Ｓ２２０：Ｎｏ）、リターンに抜ける。一方、大当りインターバル時間が終了していると（Ｓ２２０：Ｙｅｓ）、大当り遊技の最終ラウンドが終了したか否かを判定し（Ｓ２２１）、最終ラウンドが終了したならば（Ｓ２２１：Ｙｅｓ）、サブ統合制御装置８３に大当り終了演出を指示するコマンドを送信して大当り遊技を終了する大当り終了演出処理（Ｓ２２２）を行う。最終ラウンドの終了でなければ（Ｓ２２１：Ｎｏ）、サブ統合制御装置８３にラウンドの演出開始を指示するコマンドを送信すると共に大入賞口１４を開放する大入賞口開放処理（Ｓ２２３）を行う。
【００７４】
上記の特別遊技処理で大当り終了演出中であると（Ｓ２０３：Ｙｅｓ）、図１１のＳ２３０に進み、大当り終了演出の時間が終了したか否かを判定する。大当り終了演出の時間が終了していないならば（Ｓ２３０：Ｎｏ）、リターンに抜け、終了していると（Ｓ２３０：Ｙｅｓ）、役物連続作動装置の作動を停止する処理（Ｓ２３１）を行う。続いて、上記した当否判定処理のモードバッファ設定処理（Ｓ１０８）で設定したモードバッファを参照し（Ｓ２３２）、確変フラグ、確変カウンタ、時短フラグ、時短カウンタを設定し（Ｓ２３３〜Ｓ２３６）、モードバッファをクリアする（Ｓ２３７）。さらに、サブ統合制御装置８３に、大当り遊技の終了を示す終了コマンドを送信し（Ｓ２３８）、大当りフラグをクリアする（Ｓ２３９）。
【００７５】
このように主制御装置８０が実行する処理によって、遊技が進行する。尚、上述した以外で主制御装置８０で行われる処理や、他の制御装置で行われる処理については、従来から公知の処理を適用できることから、その詳細については省略する。
【００７６】
次に、本発明の要部について説明する。
本実施例１のパチンコ機１の仕様の、本発明の要部にかかる一部を、図１２に示す。具体的には、上述したように、第一始動口１１および第二始動口１２への遊技球入球を契機として当否判定（上記した当否判定処理）における当選確率は、通常状態で１／３００、確率変動状態で１／３０に設定されている。また、第一から第四の各普通入賞口３１〜３４、第一始動口１１、第二始動口１２、大入賞口１４の各賞球数は、上述したように夫々設定されている。
【００７７】
また、本実施例１の構成では、第一始動口１１および第二始動口１２を狙って遊技球を発射した場合における該第一始動口１１および第二始動口１２への入賞率が１／１５〜１／８となるように設定されていると共に、遊技領域３へ遊技球を発射した際におけるベース値が５０％を基準値とするように設定されている。
【００７８】
第一始動口１１および第二始動口１２の入賞率は、各始動口１１，１２を狙って１００個の遊技球を発射した場合に、各始動口１１，１２に入球する個数によって決まる。そして、本実施例１の第一始動口１１は、発射個数１００個に対して８個入賞可能があるように設定されており、その入賞率が約１／１２である。一方、第二始動口１２は、上述したように普通電動役物により構成されていることから、該普通電動役物の閉鎖状態では入賞できないものの、該普通電動役物の開放状態では、該第二始動口１２を狙って遊技球を発射することで、発射個数１００個に対して１２個入賞可能であるように設定されている。この場合の入賞率は、約１／８である。こうした入賞率となるように、第一始動口１１および第二始動口１２の配設位置が設定され、かつ遊技釘４の配設位置や個数が設定されている。
【００７９】
一方、上記したベース値は、大入賞口１４を開放していない状態（すなわち、大当り遊技中を除く遊技状態）で、所定の単位期間で遊技領域３に発射した遊技球数に対して、発生した賞球数の割合である。具体的には、前記状態で、１分間に１００個の遊技球を発射した場合に、発生する賞球数の割合として得られる値である。すなわち、ベース値が５０％であるとは、１分間に１００個発射して、５０個の賞球が発生することを示す。尚、ベース値は、比較的長時間に亘って遊技球を発射した場合の平均値であることから、常に正確な賞球数の発生を示すものでなく、ある程度の幅で変化する。そのため、実際には、ベース値の基準値（５０％）に対して前後５％〜１０％程度の幅で変化することもあり得る。
【００８０】
本実施例１のパチンコ機１は、ベース値の基準値が５０％となるように、第一〜第四普通入賞口３１〜３４と遊技釘４とが配設されると共に、入賞一個に応じて発生させる賞球個数が設定されている。
【００８１】
さらに、本実施例１の構成では、上記した大当り遊技で実行される開閉ラウンドの継続回数の期待値が、最大ラウンド数（１６Ｒ）の３５％〜６０％となるように、該開閉ラウンドの継続回数を制御している。ここで、期待値は、所定数（できるだけ多数）の大当り遊技を行った場合に、一回の大当り遊技で平均して実行される開閉ラウンドの継続回数を示す。具体的には、開閉ラウンドの継続回数の期待値が約８．５回となるように、該開閉ラウンドの継続回数を制御している。尚、最大ラウンド数（１６Ｒ）が、本発明にかかる上限の所定回数値に相当する。
【００８２】
本実施例１では、上記した開閉ラウンドの継続回数を、第一始動口１１および第二始動口１２への入球に伴って抽出した継続回数決定用乱数値により、決定している。この継続回数決定用乱数値により継続回数を決定する処理を、以下に説明する。
メインルーチンでは、図５に示すように、継続回数決定用乱数値の更新処理（Ｓ１６）を行う。図６の始動入賞処理では、第一始動口スイッチ１１ａの遊技球検出に伴って実行する抽出乱数保留記憶処理（Ｓ５２）で、継続回数決定用乱数値を抽出し、他の乱数値とともに第一保留記憶して記憶する。同様に、第二始動口スイッチ１２ａの遊技球検出による抽出乱数保留記憶処理（Ｓ６２）でも、継続回数決定用乱数値を抽出し、他の乱数値と共に第二保留記憶として記憶する。図７の当否判定処理では、大当り決定用乱数比較処理（Ｓ１０４）での判定により大当り判定された場合（Ｓ１０５：Ｙｅｓ）、開放パターン設定処理（Ｓ１０９）で、保留記憶の継続回数決定用乱数値を有効として、該継続回数決定用乱数値に従って開放ラウンドの継続回数値を決定して記憶する。図８〜１１の特別遊技処理では、大入賞口開放処理（Ｓ２０５、Ｓ２２３）で大入賞口１４を開放開始する毎に、継続カウンタに１加算し、該継続カウンタが前記開放パターン設定処理で決定した継続回数値に達すると、最終ラウンドとして認識する。こうした処理により、大当り遊技では、継続回数決定用乱数値により、開閉ラウンドの継続回数が制御している。
【００８３】
ここで、開放パターン設定処理（Ｓ１０９）では、当否判定の対象した保留記憶の継続回数決定用乱数値を、予め設定された図１３の継続回数決定テーブルと比較して、比較対象の前記継続回数決定用乱数値と一致する継続回数決定テーブル内の判定値を選定する。具体的には、継続回数決定用乱数値は、０〜９９までのいずれかを抽出するように設定されており、継続回数決定テーブルには、この０〜９９の判定値に夫々対応付けられて、継続回数値が設定されている。この継続回数決定テーブルによる乱数抽選では、６回〜９回の継続回数値を抽出する抽選確率が高く、開閉ラウンドの継続回数の期待値が約８．５回となるように設定されている。また、この乱数抽選では、継続回数値が前記期待値よりも多くなるにつれて、抽選確率が徐々に低くなるものの、最大ラウンド数（１６Ｒ）となる場合もあり得る。同様に、前記期待値よりも少なくなるにつれて、抽選確率が徐々に低くなるものの、開閉ラウンドが最低の一回で終了することも極めて低い確率であり得る。尚、本実施例１にあって、継続回数値決定用乱数値と前記継続回数決定テーブルとを用いて開閉ラウンドの継続回数を決定する開放パターン設定処理が、本発明にかかる継続制御手段に相当する。
【００８４】
このように本実施例１の構成では、大当り遊技で実行する開閉ラウンドの継続回数を、その期待値が最大ラウンド数（１６Ｒ）の約５３％（約８．５Ｒ）となるように制御していることから、一回の大当りで発生する賞球数を抑制することができる。この抑制効果は、確率変動状態となることで複数回連続して大当りが発生した場合でも同様に生ずる。こうした大当り遊技中における賞球数の抑制によって、遊技の健全性を向上させるためにベース値を高くすることで発生する遊技店の利益低下を、補うことができる。
【００８５】
尚ここで、現実に遊技店で使用されているパチンコ機では、３０％が上記ベース値の限界と考えられていた。これは、現状で、大当りの発生により多大な賞球を獲得できる遊技を遊技者が求める傾向が強いことから、遊技店の利益を確保できるように、大当りの発生までに多くの遊技球を消費させるためである。具体的には、ベース値を３０％に抑えることで、大当り発生までに多くの遊技球を消費させる反面、大当りが発生すると、上記した大当り遊技で多数の賞球を獲得でき、さらに確率変動状態となって大当りが連続すれば、多大な賞球を獲得できるようになっている。換言すれば、大当りにより払い出される多大な賞球量を、３０％のベース値により大当り前に消費される遊技球の消費量によって、バランスをとっていた。こうした従来のパチンコ機では、遊技の健全性を向上させることを目的としてベース値を３０％よりも高い値に設定しようとすると、遊技店の利益を確保するために、当否判定の当選確率を低く設定したり、始動口への遊技球の入賞率を低くすることによって、大当りを発生し難くすること（大当りの発生確率の低下）が一般的である。しかし、前記当選確率は、規格として設定されていることから、従来よりも低く設定することができない。また、始動口への入賞率は、従来よりも低く設定することが可能であるが、該入賞率を低くしてしまうと、特別図柄の変動回数が低減してしまう。すなわち、始動口への入賞率を低く設定すると、単位時間（又は、単位発射数）当りで発生する特別図柄の変動回数の平均値（所謂、ボーダーライン）が従来よりも低減し、大当りの発生までに要する時間が増加する傾向となる。この現象は、大当りの発生を求める遊技者に比較的容易に気付かれ易く、遊技者に忌避されてしまう虞が高い。そのため、前記のように特別図柄の変動回数が従来よりも低減する機台は、遊技者に避けられてしまい、遊技店の利益低下の一因となるだけでなく、遊技者の遊技離れを誘発する虞もあった。こうしたことから、従来、遊技の健全性と遊技店の利益確保とを両立するためには、３０％がベース値の限界であった。
【００８６】
上記従来の構成に比して、本実施例１の構成では、ベース値を高くして遊技の健全性を向上できると共に、開閉ラウンドの継続回数を制御することで遊技店の利益を確保できる。さらに、本実施例１の構成は、大当り判定の当選確率を従来と同様とすると共に、第一始動口１１および第二始動口１２への入賞率も比較的高いままとしている。そのため、短時間（又は、単位発射数）当りで発生する特別図柄の変動回数が前記従来構成よりも低下せず、遊技者の遊技に対する期待感を保つことができるから、該遊技者に避けられてしまうことも防ぎ得る。したがって、本実施例１の構成によれば、遊技店の利益を確保しつつ、遊技の健全性を向上できる。
【００８７】
さらに、本実施例１の構成は、開閉ラウンドの継続回数を、その期待値が約８．５回（最大ラウンド数の約５３％）となるように制御しているものであり、該継続回数が大当り毎に抽出した継続回数決定乱数値に従って、１Ｒ〜最大の１６Ｒまでのいずれかに決定される。そして、この開閉ラウンドの継続回数は、乱数抽選で決まることから、開閉ラウンドの終了するまで遊技者に分からない。そのため、大当り発生した後であっても、大当り遊技の終了までの間で、開閉ラウンドができるだけ多く継続することを望む遊技者の期待感を、効果的に刺激できる。すなわち、本構成によれば、大当り発生から大当り遊技終了までの間で、開閉ラウンドの継続を遊技者に期待させるという、従来に無い新たな遊技性を提供できる。そして、従来構成と比較すると、従来のパチンコ機は、大当りの発生までが遊技者の期待感を刺激する主な遊技性であったことに対して、本実施例１の構成は、従来と同様の大当り発生までの遊技性に加えて、大当り発生後に前記した新たな遊技性も提供できるものである。
【００８８】
このように本実施例１のパチンコ機１によれば、遊技店の利益を確保しつつ、遊技の健全性を向上できるという効果が発揮されると共に、従来からの大当り発生までの遊技性に加えて、大当り発生後に遊技者の期待感を効果的に刺激できる新たな遊技性が生ずることで、遊技の興趣性を著しく向上するという効果が発揮される。
【００８９】
尚、本実施例１の構成は、上述したように、ベース値を５０％として設定したものであるが、４０％〜６０％の範囲であれば、適宜設定できる。ここで、ベース値を４０％より低く設定すると、従来（３０％）との差が比較的小さくなるため、遊技の健全性を高くするいう意義があいまいになり易い。さらに、遊技店の利益率が高くなるため、開閉ラウンドの継続回数の期待値とのバランスも良くない。一方、ベース値を６０％よりも高くすると、遊技店の利益が著しく低くなってしまう。ここで、遊技店の利益を確保するためには、開閉ラウンドの継続回数の期待値をさらに低くしなければならないが、これでは大当りとなっても遊技者の獲得利益が少なくなりすぎるため、遊技者に避けられる傾向が著しく高くなってしまう。こうしたことから、ベース値は４０％〜６０％に設定して、開閉ラウンドの継続回数の期待値とバランス良くすることが良い。
【００９０】
また、開閉ラウンドの継続回数の期待値も、最大ラウンドの３５％〜６０％の範囲内であれば、適宜設定可能である。この期待値にあっても、最大ラウンドの３５％よりも低くすると、上記のように遊技者の獲得利益が低下して、遊技者に避けられてしまい易い。一方、最大ラウンドの６０％よりも高くすると、遊技店の利益が低下するため、ベース値を低下させねばならず、該ベース値とのバランスが良くない。同様に、始動口への入賞率も、本実施例に限らず、１／１５〜１／８の範囲内で適宜設定できる。この入賞率を１／１５より低くすると、特別図柄が変動し難くなるため、遊技者に避けられ易くなる一方、１／８よりも高くすると、遊技店の利益が低下する。こうしたから、前記範囲で入賞率を設定することが、遊技のバランスとして良い。
【実施例２】
【００９１】
実施例２の構成は、大入賞口１４の内部に遊技球を通過可能な継続領域１２１を備え、開閉ラウンドで該継続領域１２１への遊技球通過が次の開閉ラウンドを実行するラウンド継続条件としたものであり、このラウンド継続条件により継続する開閉ラウンドの継続回数の期待値が、最大ラウンド数（１６Ｒ）の３５％〜６０％となるように設定されている。
【００９２】
大入賞口１４の内部には、図１４に示すように、該大入賞口１４に入球した遊技球が通過可能な一般領域１２０と継続領域１２１とを備え、一般領域１２０は遊技球を常時かつ容易に通過可能に設けられる一方、継続領域１２１は該一般領域１２０に比して遊技球を通過できる確率（以下、通過率）が低くなるように設けられている。本実施例２では、この継続領域１２１への遊技球の通過率によって、開閉ラウンドの継続回数の期待値が最大ラウンド数の３５％〜６０％となるように、該継続回数を制御したものである。
【００９３】
具体的には、大入賞口１４の内部に、継続領域１２１への遊技球を通過可能な開放状態と通過不能な閉鎖状態とに開閉される開閉部材１２２を設け、該開閉部材１２２をモータ１２３により該開放状態と閉鎖状態とに開閉作動する。主制御装置８０が、このモータ１２３（図１５参照）を駆動制御することで、継続領域１２１に遊技球を通過可能な開放状態と通過不能な閉鎖状態とに変換させる。この駆動制御によって、開閉ラウンドの継続回数が少ない場合で継続領域１２１へ遊技球が通過し易く、該継続回数が増加するにつれて徐々に継続領域１２１へ遊技球が通過し難くなるようにする。こうした継続領域１２１の開閉作動を制御することにより、継続領域１２１への遊技球の通過率を制御すると共に、開閉ラウンドの継続回数が増えるにつれて、該通過率が徐々に低くなるように制御する。そして、一回の大当り遊技で実行される開閉ラウンドの継続回数の期待値が、６回（６Ｒ）〜９回（９Ｒ）となるように制御している。
【００９４】
本実施例２では、開閉ラウンドの各ラウンドに応じて、単位時間当り所定数回で開放状態が発生するように、前記モータ１２３を駆動制御している。例えば、開閉ラウンドの１Ｒ〜３Ｒでは、単位時間（１０秒間）当りで１秒間の開放作動を８回実行するように駆動制御し、４Ｒ〜５Ｒでは、１０秒間当りで１秒間の開放作動を６回実行するように駆動制御し、６Ｒ〜９Ｒでは、１０秒間当りで１秒間の開放作動を４回実行するように駆動制御し、１０Ｒ〜１２Ｒでは、１０秒間当りで１秒間の開放作動を２回実行するように駆動制御し、１３Ｒ〜１５Ｒでは、１０秒間当りで０．５秒間の開放作動を１回実行するように駆動制御する。このように各ラウンドでモータ１２３を駆動制御するための複数の継続開放パターンが予め設定されており、各ラウンドを開始する時点で、各ラウンドに応じた継続開放パターンが選択され、選択された継続開放パターンに従って継続領域１２１の開閉作動が実行される。
【００９５】
尚、本実施例２にあって、継続領域１２１を開閉する開閉部材１２２およびモータ１２３により、本発明の誘導機構が構成されている。また、上記した継続領域１２１の開閉作動制御としては、単位時間当りの開放作動回数や開放時間を適宜変更して設定することも可能である。さらにまた、こうした開閉制御は、上記した単位時間当り所定数回で開放状態とする制御に限らず、他の制御態様とすることも可能である。例えば、単位時間当りで所定時間継続して開放状態とするようにしても良い。
【００９６】
また、本実施例２の構成では、大入賞口１４の内部に、一般領域１２０を通過した遊技球を検知するカウントスイッチ１４ａが設けられると共に、継続領域１２１を通過した遊技球を検知する継続カウントスイッチ１２１ａが設けられている。主制御装置８０には、図１５に示すように、遊技盤中継端子板７４を介して、これらカウントスイッチ１４ａおよび継続カウントスイッチ１２１ａからの検出信号が入力される。
【００９７】
実施例２の構成は、上述したように大入賞口１４の内部に一般領域１２０と継続領域１２１とを備え、該継続領域１２１を開閉制御することで、開閉ラウンドの継続回数を制御するようにしたものである。そのため、実施例１と異なり、開閉ラウンドの継続回数を抽選する乱数（継続回数決定用乱数値）と、該乱数の抽出処理および判定処理とを備えない。実施例２は、こうした構成以外は実施例１と同じ構成であり、上記した当否判定処理における当選確率、第一始動口１１及び第二始動口１２への入賞率、およびベース値は実施例１と同様に設定されている。そのため、こうした同じ構成の説明については、適宜省略する。
【００９８】
次に、本実施例２の各種プログラムの処理を、遊技の動作と共に説明する。
メインルーチンは、図１６に示すように、Ｓ３１０〜Ｓ３２３までの本処理と、Ｓ３２４の残余処理とから構成され、実施例１の継続回数決定用乱数の更新処理を備えない以外は同じである。
【００９９】
始動入賞処理（図６）は、抽出乱数保留記憶処理（Ｓ５３，Ｓ６３）による処理内容が実施例１と一部相違する以外は同じである。本実施例２の抽出乱数保留記憶処理（Ｓ５３，Ｓ６３）では、大当り決定用乱数値、第一大当り図柄決定用乱数値、第二大当り図柄決定用乱数値、小当り図柄判定用乱数値、リーチ決定用乱数値、および変動パターン決定用乱数値を抽出して、第一保留記憶または第二保留記憶として記憶し、第一保留記憶カウンタまたは第二保留カウンタに１を加算する。
【０１００】
当否判定処理（図７）は、開放パターン設定処理（Ｓ１０９）による処理内容が実施例１と一部相違する以外は同じである。本実施例２の開放パターン設定処理（Ｓ１０９）では、大当り決定用乱数比較処理（Ｓ１０４）での判定結果が大当りである場合（Ｓ１０５：Ｙｅｓ）に、実施例１の継続回数決定用乱数値による開閉ラウンドの継続回数を決定する処理内容を実行しない。すなわち、実施例２の開放パターン設定処理（Ｓ１０９）では、開閉ラウンドを開始するためのパターンを設定し、継続回数の設定は行わない。
【０１０１】
上記の当否判定処理により大当りとなると、特別遊技処理（図８）を実行する。本実施例２の特別遊技処理では、実施例１の特別遊技処理と一部が相違している。具体的には、図９に示す実施例１のＳ２１０〜Ｓ２１４に替えて、図１７に示すＳ４１０〜Ｓ４１５を実行すると共に、図１０に示す実施例１のＳ２２０〜Ｓ２２３に替えて、図１８に示すＳ４２０〜４２４を実行する。さらに、図８の大入賞口開放処理（Ｓ２０５）では、実施例１と異なる処理内容を行う。
【０１０２】
実施例２の特別遊技処理（図８）では、大当り遊技を開始する際に、大入賞口開放処理（Ｓ２０５）で、開閉ラウンドの１回目（１Ｒ）を開始する処理を行う。この大入賞口処理では、１Ｒに設定された継続開放パターンを選択し、１Ｒ目の開閉ラウンドの開放開始と同期して、該継続開放パターンに従って大入賞口１４内の継続領域１２１を開閉制御開始する。一方、大当り遊技中では、大入賞口１４が開放中であると、図１７のＳ４１０に進む。そして、大入賞口１４の内部の一般領域１２０に設けたカウントスイッチ１４ａが遊技球を検出したか否かを判定し（Ｓ４１０）、検出していない場合には（Ｓ４１０：Ｎｏ）、継続領域１２１に設けた継続カウントスイッチ１２１ａが遊技球を検出した否かを判定する（Ｓ４１５）。ここで、継続カウントスイッチ１２１ａが遊技球を検出していると（Ｓ４１５：Ｙｅｓ）、大入賞口１４への入賞個数が規定入賞数（９個）に達したか否かを判定する（Ｓ４１１）。一方、継続カウントスイッチ１２１ａが遊技球を検出していないと（Ｓ４１５：Ｎｏ）、開放時間が終了したか否かを判定する（Ｓ４１２）。このように実施例２では、大入賞口１４に入賞した遊技球は、一般領域１２０と継続領域１２１とのいずれか一方を通過するため、カウントスイッチ１４ａと継続カウントスイッチ１２１ａとの検出により、大入賞口１４の入賞個数をカウントしている。さらに、継続カウントスイッチ１２１ａの遊技球検出により、継続領域１２１への遊技球通過を検出している。尚、Ｓ４１０〜Ｓ４１４の各処理内容は、実施例１のＳ２１０〜Ｓ２１４の各処理内容と同じであることから、その詳細を省略する。
【０１０３】
さらに、大入賞口１４を開閉する大当り遊技中では、図８のＳ２０２でインターバル中であると（Ｓ２０２：Ｙｅｓ）、図１８のＳ４２０に進む。そして、大当りインターバル時間が終了していると（Ｓ４２０：Ｙｅｓ）、最終ラウンド（１６Ｒ）が終了しているか否かを判定し（Ｓ４２１）、最終ラウンド（１６Ｒ）の終了でなければ（Ｓ４２１：Ｎｏ）、継続カウントスイッチ１２１ａによる遊技球検出があったか否かを判定する（Ｓ４２３）。ここで、継続カウントスイッチ１２１ａの遊技球検出があった場合には（Ｓ４２３：Ｙｅｓ）、大入賞口開放処理（Ｓ４２４）を行う。この大入賞口開放処理では、継続カウンタに１加算し、該継続カウンタの示す数のラウンドに応じて、上述した継続開放パターンを選択する。そして、次の開閉ラウンドの開放開始と同期して、選択した継続開放パターンに従って大入賞口１４内の継続領域１２１の開閉制御を開始する。一方、継続カウントスイッチ１２１ａの遊技球検出が無い場合には（Ｓ４２３：Ｎｏ）、Ｓ４２２の大当り終了演出処理を行う。尚、Ｓ４２０〜Ｓ４２２の各処理内容は、実施例１のＳ２２０〜Ｓ２２２の各処理内容と同じであることから、その詳細を省略する。また、本実施例２にあって、特別遊技処理における継続カウントスイッチ１２１ａの遊技球検出を判定する処理（Ｓ４２３）と大入賞口開放処理（Ｓ４２４）とにより、本発明にかかる継続決定処理と機構駆動処理とが構成されている。
【０１０４】
このように本実施例２の構成は、大入賞口１４内の継続領域１２１への遊技球通過をラウンド継続条件とし、該継続領域１２１への遊技球の通過率を該継続領域１２１の開閉作動により制御することで、開閉ラウンドの継続回数を制御するものである。すなわち、開閉ラウンドの継続回数の制御を乱数抽選により行う実施例１とは、該継続回数の制御方法が異なるだけであり、他の構成は同じである。本実施例２の構成にあっても、実施例１と同様に、大当り遊技中で賞球数を抑制することによって、ベース値を高くすることで発生する遊技店の利益低下を、補うことができるから、遊技店の利益を確保しつつ、遊技の健全性を向上できる。さらに、大当り判定の当選確率と第一始動口１１および第二始動口１２への入賞率とが、実施例１と同様に設定されていることから、実施例１と同様に、大当り発生前に該大当りへの遊技者の期待感を刺激するという従来からの遊技性と、大当り発生後に開閉ラウンドの継続回数の増加への遊技者の期待感を刺激するという新たな遊技性とを提供できる。したがって、本実施例２の構成によれば、上述した実施例１と同様の作用効果が発揮され得る。
【０１０５】
尚、実施例２にあっては、継続領域を開閉する開閉部材とモータとにより、該継続領域への通過率を制御する誘導機構を構成したものであるが、誘導機構は、この構成に限らず、他の構成を適用することも可能である。例えば、継続領域を、位置変換や向き変換を可能とする構成とし、該継続領域の位置変換や向き変換を作動する駆動装置を設けた構成としても良い。この構成は、継続領域の位置変換や向き変換を作動制御することにより、該継続領域への遊技球の通過率を制御する。そして、この継続領域の位置変換や向き変換を、開閉ラウンドの継続回数の期待値が最大ラウンドの３５％〜６０％となるように、作動制御する。さらに誘導機構の他の構成として、大入賞口の内部の、一般領域と継続領域との直上流位置に、該一般領域と継続領域とのいずれかに振り分ける振分部材を配設した構成としても良い。この構成では、振分部材の作動制御により、継続領域への通過率を制御して、開閉ラウンドの継続回数の期待値が最大ラウンドの３５％〜６０％となるように、制御する。これら他の構成によっても、上述した実施例２と同様の作用効果を奏するものとできる。
【０１０６】
また、本実施例２にあっても、上述した実施例１と同様に、ベース値、開閉ラウンドの継続回数の期待値、および始動口への入賞率を、本発明の適用範囲内で適宜設定可能である。
【実施例３】
【０１０７】
実施例３の構成は、大入賞口１４への遊技球の入球に伴って継続抽選乱数値を抽出し、該継続抽選乱数値によって次の開閉ラウンドを実行するか否かを判定するようにしたものである。すなわち、継続抽選乱数値の抽選によってラウンド継続条件の成立か否かが決定され、最大ラウンド数である１６Ｒの開閉ラウンドを除く各開閉ラウンド毎に、前記抽選を行う。
【０１０８】
具体的には、大入賞口１４のカウントスイッチ１４ａが遊技球を検出する毎に、継続抽選乱数値を抽出し、抽出した継続抽選乱数値が、予め設定された継続判定値と一致するか否かを判定する。そして、一致した場合に、上記のラウンド継続条件が成立して、次の開閉ラウンドの実行が決定する。ここで、継続抽選乱数値は、前記カウントスイッチ１４ａが遊技球を検出する毎に抽出されて、継続判定値により判定される。そのため、一回の開閉ラウンドでは、最大で、規定入賞数（９個）と同数の継続抽選乱数値が抽出されて、該同数回の判定が実施される。本実施例３では、一の開閉ラウンドで、抽出した継続抽選乱数値が継続判定値と一致すると、次の開閉ラウンドへ移行するラウンド継続条件が成立することから、同じ開閉ラウンドで、該ラウンド継続条件が成立すると（継続判定値と一致すると）、以降の継続抽選乱数値の判定を実行しない。
【０１０９】
このように抽出される継続抽選乱数値を判定する継続判定値は、開閉ラウンドの継続回数が増えるにつれて、一致する確率が徐々に低くなるように設定されており、一回の大当り遊技で実行される開閉ラウンドの継続回数の期待値が、６回（６Ｒ）〜９回（９Ｒ）となるように設定されている。具体的には、前記一致する確率が相互に異なる複数の継続判定値を予め設定しており、各継続判定値が開閉ラウンドのラウンド数に夫々割り当てられ、該ラウンド数に応じた継続判定値が有効とされる。ここで、継続判定値による一致確率は、一回の開閉ラウンドで最大９回の判定を行った場合における確率として設定されている。例えば、開閉ラウンドが１Ｒ〜３Ｒの場合には、９回の判定での前記一致確率が約９５％となるように設定された継続判定値を有効として、抽出された継続抽選乱数値との判定を行う。また、開閉ラウンドが４Ｒ〜５Ｒでは、前記一致確率が約８０％となるように設定された継続判定値を有効とし、６Ｒ〜７Ｒでは、前記一致確率が約６０％となるように設定された継続判定値を有効とし、８Ｒ〜９Ｒでは、前記一致確率が約５０％となるようにに設定された継続判定値を有効とし、１０Ｒ〜１２Ｒでは、前記一致確率が約３０％となるようにに設定された継続判定値を有効とし、１３Ｒ〜１５Ｒでは、前記一致確率が約１０％となるように設定された継続判定値を有効として、各ラウンドで抽出された継続抽選乱数値との判定を行う。
【０１１０】
本実施例３の構成は、開閉ラウンドのラウンド継続条件が異なる以外は上述した実施例２と同じである。すなわち、実施例３の構成では、実施例２における大入賞口内の一般領域１２０および継続領域１２１を備えず、さらに継続カウントスイッチ１２１ａも備えていない。その替わりに、大入賞口１４への遊技球入球に伴って継続抽選乱数値と抽出して、継続判定値と一致するか否かを判定する処理を備えたものである。こうした大入賞口１４内の構造と前記判定処理とが異なる以外は実施例２と同じであり、上記した当否判定処理における当選確率、第一始動口１１及び第二始動口１２への入賞率、およびベース値は実施例１および実施例２と同様に設定されている。そのため、これら同じ構成の説明については、適宜省略する。
【０１１１】
次に、本実施例３の各種プログラムの処理を、遊技の動作と共に説明する。
メインルーチン（図１６）、始動入賞処理（図６）、および当否判定処理（図７）は、実施例２と同様に実行される。一方、本実施例３の特別遊技処理では、実施例２の特別遊技処理と一部が相違している。具体的には、図１７に示す実施例２のＳ４１０〜Ｓ４１５に替えて、図１９に示すＳ５１０〜Ｓ５１５を実行すると共に、図１８に示す実施例２のＳ４２０〜４２４に替えて、図２０に示すＳ５２０〜５２４を実行する。
【０１１２】
実施例３の特別遊技処理（図８）では、実施例２と同様に、大当り遊技を開始する際の大入賞口開放処理（Ｓ２０５）で、開閉ラウンドの１回目（１Ｒ）を開始する処理を行う。この大入賞口開放処理（Ｓ２０５）では、開閉ラウンドのラウンド数を示す継続カウンタ＝１とする。
【０１１３】
特別遊技処理では、図８のＳ２０１で大入賞口開放中であると（Ｓ２０１：Ｙｅｓ）、図１９のＳ５１０に進み、カウントスイッチ１４ａが遊技球を検出したか否かを判定する（Ｓ５１０）。ここで、カウントスイッチ１４ａが遊技球を検出していると（Ｓ５１０：Ｙｅｓ）、ラウンド継続判定処理を行う（Ｓ５１５）。このラウンド継続判定処理では、継続抽選乱数値を抽出し、前記継続カウンタの値（開閉ラウンドのラウンド数）に割り当てられた継続判定値を有効として、当該継続判定値と一致するか否かを判定する。ここで、継続抽選乱数値と継続判定値とが一致した場合には、ラウンド継続条件が成立し、継続フラグ＝１とする一方、不一致の場合には、ラウンド継続条件が成立せず、継続フラグ＝０のままとなる。このラウンド継続判定処理では、継続フラグ＝０の場合に、前記のように、継続抽選乱数値を抽出する処理内容と、継続カウンタに応じて選択した継続判定値で判定する処理内容とを行う。一方、継続フラグ＝１の場合には、これら処理内容を実行せずに（継続抽選乱数値の抽選を行わずに）、Ｓ５１１へ進む。さらに、同じ開閉ラウンドでは、継続フラグ＝０の状態で、同一の継続判定値による判定が行われる。そのため、ラウンド継続判定処理は、前記処理内容を、同一の開閉ラウンドで最大９回（規定入賞数と同数）実行する。こうしたコマンド継続判定処理後には、Ｓ５１１に進む。これ以外のＳ５１１〜Ｓ５１４の各処理内容は、実施例２のＳ４１１〜Ｓ４１４（すなわち、実施例１のＳ２１１〜Ｓ２１４）の各処理内容と同じであることから、その詳細を省略する。
【０１１４】
さらに、大当り遊技中では、図８のＳ２０２でインターバル中であると（Ｓ２０２：Ｙｅｓ）、図２０のＳ５２０に進む。そして、大当りインターバル時間が終了していると（Ｓ５２０：Ｙｅｓ）、最終ラウンド（１６Ｒ）が終了しているか否かを判定し（Ｓ５２１）、最終ラウンド（１６Ｒ）の終了でなければ（Ｓ５２１：Ｎｏ）、継続フラグ＝１か否かを判定する（Ｓ５２３）。ここで、継続フラグ＝１であるならば（Ｓ５２３：Ｙｅｓ）、大入賞口開放処理（Ｓ５２４）を行う。この大入賞口開放処理では、継続カウンタに１加算し、次の開閉ラウンドを開始すると共に、継続フラグをクリアする。一方、継続フラグ＝１でなければ（Ｓ５２３：Ｎｏ）、Ｓ５２２の大当り終了演出処理を行う。尚、Ｓ５２０〜Ｓ５２２の各処理内容は、実施例２のＳ４２０〜Ｓ４２２（すなわち、実施例１のＳ２２０〜Ｓ２２２）の各処理内容と同じであるから、その詳細を省略する。また、本実施例３にあって、特別遊技処理におけるラウンド継続判定処理（Ｓ５１５）と継続フラグ＝１か否かの判定処理（Ｓ５２３）とにより、本発明にかかる継続決定処理が構成されている。
【０１１５】
このように本実施例３の構成は、大入賞口１４への遊技球入賞に伴って行う乱数抽選によりラウンド継続条件の成立か否かを判定し、この乱数抽選による前記条件成立の確率（上記した継続判定値との一致確率）によって開閉ラウンドの継続回数を制御するものである。すなわち、開閉ラウンドの継続回数を制御する方法が、実施例２と異なる以外は、実施例２と同じ構成である。本実施例３の構成にあっても、実施例２と同様に、大当り遊技中で賞球数を抑制することによって、ベース値を高くすることで発生する遊技店の利益低下を、補うことができるから、遊技店の利益を確保しつつ、遊技の健全性を向上できる。さらに、大当り判定の当選確率と第一始動口１１および第二始動口１２への入賞率とが、実施例１および実施例２と同様に設定されていることから、実施例１および実施例２と同様に、大当り発生前に該大当りへの遊技者の期待感を刺激するという従来からの遊技性と、大当り発生後に開閉ラウンドの継続回数の増加への遊技者の期待感を刺激するという新たな遊技性とを提供できる。したがって、本実施例３の構成によれば、上述した実施例１および実施例２と同様の作用効果が発揮され得る。
【０１１６】
尚、本実施例３にあって、開閉ラウンドの継続回数を制御する継続抽選乱数値と継続判定値とは、該継続回数の期待値が最大ラウンドの３５％〜６０％となるものであれば、適宜設定できる。同様に、ベース値、開閉ラウンドの継続回数の期待値、および始動口への入賞率を、本発明の適用範囲内で適宜設定可能である。
【０１１７】
また、実施例３の構成では、大入賞口１４に遊技球が入賞する毎に、継続抽選乱数値を抽出して判定するようにしたものであるが、これに限らず、他の方法を用いることも可能である。例えば、大入賞口１４に遊技球が入賞する毎に継続抽選乱数値を抽出して記憶し、一の開閉ラウンドが終了すると、抽出した全ての継続抽選乱数値の判定を実行するようにしても良い。又は、大入賞口１４の奥方に、遊技球を一時的に貯留する貯留部を設け、一の開閉ラウンドの終了毎に該貯留部から遊技球を排出して、その排出により乱数抽選を行うようにしても良い。さらには、一の開閉ラウンドで、最初入賞した遊技球でのみ乱数抽選を行う等のように、一回の開閉ラウンドで入賞したいずれか一個の遊技球によって乱数抽選を行うようにしても良い。ここで、いずれの遊技球で継続抽選乱数値の乱数抽選を行うかは予め定めることができる。例えば、大入賞口１４に入賞する最大個数である規定入賞数の９個の内、カウントスイッチ１４ａにより検出される５個目（５番目）の遊技球で乱数抽選を行う。また、何番目の遊技球により乱数抽選を行うかは（すなわち、乱数抽選の対象となる遊技球の順位）、遊技状態、例えば大当り図柄の種類、継続抽選乱数値の当選確率値などにより変更することも可能である。さらには、開閉ラウンド毎に、乱数抽選を行う前記順位を変更しても良い。尚、このように乱数抽選を行う遊技球の順位を変更する構成とした場合には、当該順位（何番目の遊技球により乱数抽選を行うか）を演出図柄表示装置６の画面上で表示すれば、バリエーションの豊富化が図れると共に大当り遊技中の楽しみも増す。さらにここで、前記した継続抽選乱数値の一致確率（次の開閉ラウンドを行う確率）も前記画面上に表示し、該一致確率の低い場合ほど、前記乱数抽選を行う遊技球の順位を後にすれば、遊技者の期待感を一層刺激できる。また、乱数抽選を前記順位の前半に行う場合にあっては、その抽選結果を開閉ラウンドの後半又は大入賞口１４の閉鎖後に表示することが好適である。これは、開閉ラウンドの継続を望む遊技者の楽しみを、引き延ばすことができるからである。
【実施例４】
【０１１８】
実施例４の構成は、大当り遊技以外の遊技状態で遊技球の発射個数と賞球個数とによりベース値を計測し、計測したベース値と、基準として設定したベース値（以下、基準ベース値という）との差に応じて、開閉ラウンドの継続回数を調整するようにしたものである。尚、本実施例４にあっては、上述した実施例１と同様に、開閉ラウンドの継続回数の制御を乱数抽選により行うものであり、該乱数抽選によって開閉ラウンドの継続回数の期待値が最大ラウンドの３５％〜６０％となるように設定されている。
【０１１９】
主制御装置８０には、図４に示すように、遊技盤中継端子板７４を介して上記した発射球検出スイッチ１００が接続されており、発射球検出スイッチ１００の検出により、遊技領域３に発射された遊技球の発射個数をカウントする。また、主制御装置８０には、上述したように、第一始動口スイッチ１１ａ、第二始動口スイッチ１２ａ、および各入賞口スイッチ３１ａ〜３４ａが接続されており、各スイッチの検出に基づいて、賞球数をカウントする。こうした発射個数のカウントを賞球数のカウントとは、図５のメインルーチンの入賞確認処理（Ｓ２０）のサブルーチンとして実行される賞球処理（図２１）により行われる。尚、各始動口１１，１２、大入賞口１４、および各普通入賞口３１〜３４に入賞することで発生する賞球数は、上述した実施例１と同様に設定されている。また、実施例４は、ベース値を計測する処理、および該計測したベース値に基づいて開閉ラウンドの継続回数を調整する処理以外を、上述した実施例１と同様とすることから、重複する説明を適宜省略する。
【０１２０】
図２１の賞球処理では、発射球検出スイッチ１００が遊技球を検出したか否かを判定する（Ｓ６００）。ここで、否定判定ならば（Ｓ６００：Ｎｏ）、Ｓ６０２へ進み、肯定判定ならば（Ｓ６００：Ｙｅｓ）、発射数カウント処理（Ｓ６０１）を行う。発射数カウント処理では、発射球検出スイッチ１００が遊技球を検出する毎に、遊技球の発射総数に１加算して、該発射総数をカウントする。さらに、発射数カウント処理では、大入賞口１４を閉鎖した遊技中（大当り遊技以外の遊技中）であると、遊技球の累積発射数に１加算して、該累積発射数をカウントする。この累積発射数は、前の大当り遊技の終了から次の大当り遊技の開始までの遊技中で発射された遊技球の累積個数を示し、大当り遊技の開始毎にクリアされる。この発射数カウント処理後は、Ｓ６０２へ進む。
【０１２１】
続くＳ６０２では、第一始動口スイッチ１１ａが遊技球を検出したか否かを判定し、検出していると（Ｓ６０２：Ｙｅｓ）、賞球決定処理（Ｓ６０９）へ進み、検出していないと（Ｓ６０２：Ｎｏ）、Ｓ６０３へ進む。Ｓ６０３では、第二始動口スイッチ１２ａによる遊技球検出を判定し、Ｓ６０２と同様に、検出していると（Ｓ６０３：Ｙｅｓ）、賞球決定処理（Ｓ６０９）へ進み、検出していないと（Ｓ６０３：Ｎｏ）、Ｓ６０４へ進む。これ以降のＳ６０４〜Ｓ６０８では、Ｓ６０１およびＳ６０２と同様に、各入賞口スイッチ３１ａ〜３４ａとカウントスイッチ１４ａとによる遊技球検出を判定する処理を順次行う。Ｓ６０９の賞球決定処理は、前記したＳ６０２〜Ｓ６０８のいずれかで遊技球検出した場合に実行され、遊技球検出したスイッチに応じて、各スイッチ毎に設定された賞球数を決定する（図１２）。例えば、第一始動口スイッチ１１ａによる遊技球検出があった場合には、３個の賞球が決定され、第一入賞口スイッチ３１ａによる遊技球検出があった場合には、８個の賞球が決定される。こうして賞球決定処理により賞球が決定すると、決定した賞球の情報を示す賞球払出コマンド（賞球払出指示信号）を、払出制御装置８１へ送信する（Ｓ５１０）。払出制御装置８１は、賞球払出コマンドを受信すると、該賞球払出コマンドの示す賞球数に従って払出モータ２０を駆動させて賞球を払い出す。
【０１２２】
さらに、Ｓ６０２〜Ｓ６０８の全てで否定判定した場合、およびＳ６１０の実行後には、Ｓ６１１へ進み、大当り遊技中であるか否かを判定する（Ｓ６１１）。ここで、大当り遊技中であれば（Ｓ６１１：Ｙｅｓ）、リターンに抜け、大当り遊技中でなければ（Ｓ６１１：Ｎｏ）、ベース値算出処理（Ｓ６１２）を行う。ベース値算出処理では、賞球決定処理（Ｓ６０９）で決定した賞球数を累積加算して、累積賞球数をカウントすると共に、該累積賞球数と、発射数カウント処理（Ｓ６０１）でカウントした累積発射数とに基づいて、単位時間（１分間）当りのベース値を算出する。このベース値は、累積賞球数と累積発射数とを夫々に単位時間当りの値に換算し、単位時間当りの累積賞球数を単位時間当りの累積発射数で除算することで算出する。そして、ベース値を算出する毎に、該ベース値を更新する。こうしたベース値算出処理によって、大当り遊技中でない遊技状態（大入賞口１４を閉鎖している遊技状態）における単位時間当りのベース値が計測される。尚、本実施例４にあって、賞球処理における発射数カウント処理およびベース値算出処理により、本発明にかかるベース取得手段が構成されている。
【０１２３】
また、実施例４では、当否判定処理（図７）の開放パターン設定処理（Ｓ１０９）による処理内容が実施例１と一部相違する。実施例４の当否判定処理では、大当り判定した場合に行う開放パターン設定処理で、上記した賞球処理のベース値算出処理により算出したベース値に基づいて、開閉ラウンドの継続回数を決定する処理を行う。
【０１２４】
具体的には、ベース値の基準値を５０％として設定しており、前記計測したベース値と基準値（５０％）との差に応じて、継続回数決定用乱数値により取得した開閉ラウンドの継続回数値を調整する。本実施例４では、上述した実施例１と同様に、当否判定の対象とした保留記憶の継続回数決定用乱数値を、図１３の継続回数決定テーブルと比較し、比較対象の乱数値と一致する当該継続回数決定テーブル内の値を選定して、当該値に対応付けられた継続回数値を取得する。そして、この取得した継続回数値に、継続したベース値と基準値（５０％）との差に基づいて予め設定した調整値を加算する。これにより、開閉ラウンドの継続回数値を決定する。ここで、調整値は、計測したベース値と基準値との差によって選択される複数種類が設定されており、例えば、−２、−１、０、＋１、＋２の五種類が設定されている。そして、継続したベース値と基準値との差が、−２．５％〜＋２．５％の範囲であれば、調整値＝０を選択し、前記継続回数決定テーブルによって取得した継続回数値に当該調整値（＝０）を加算して、開閉ラウンドの継続回数値として決定する。この場合には、取得した継続回数値が、そのまま継続回数値となって決定される。また、前記差が、−５％〜−２．５％の範囲であれば、調整値＝＋１を選択し、取得した継続回数値に加算して開閉ラウンドの継続回数値を決定する。同様に、前記差が−１０％〜−５％の範囲であれば、調整値＝＋２を選択して加算することで開閉ラウンドの継続回数値を決定する。一方、前記差が＋２．５％〜＋５％の範囲であれば、調整値＝−１を選択して、取得した継続回数値から１減算（換言すれば、−１を加算）することで開閉ラウンドの継続回数値を決定する。同様に、前記差が＋５％〜＋１０％の範囲であれば、調整値＝−２を選択して２減算することで開閉ラウンドの継続回数値を決定する。
【０１２５】
さらに、本実施例では、継続回数決定用乱数値と継続回数決定テーブルと一致により取得した継続乱数値が、１〜３の場合および１４〜１６の場合には、前記調整値を用いずに、取得した継続乱数値をそのまま開閉ラウンドの継続回数値として決定する。このように継続回数決定テーブルにより抽選される確率の低い継続乱数値（１〜３および１４〜１６）に対して調整しないようにすることで、調整された開閉ラウンドの継続回数にあっても、その期待値が最大ラウンド数の３５％〜６０％の範囲内となるようにしている。
【０１２６】
このように本実施例４の開放パターン設定処理では、計測したベース値が基準値よりも低い場合に、開閉ラウンドの継続回数が増えるように調整し、計測したベース値が基準値よりも高い場合に、該開閉ラウンドの継続回数が減るように調整している。ここで、計測したベース値が基準値よりも低いと、相対的に遊技者の獲得利益が減ると共に、計測したベース値が基準値よりも高いと、相対的に遊技者の獲得利益が増えることから、実際のベース値によって遊技者の獲得利益に差が生ずる。本実施例の構成では、この差を、開閉ラウンドの継続回数を調整することで、可及的に低減できる。
【０１２７】
特別遊技処理（図８〜１１）では、開放パターン設定処理で決定した開閉ラウンドの継続回数値に従って、大入賞口開放処理（Ｓ２０５、Ｓ２２３）を行う。これにより、この継続回数繰り返される開閉ラウンドによる大当り遊技が実行される。
【０１２８】
尚、本実施例４にあって、発射球検出スイッチ１００、第一始動口スイッチ１１ａ、第二始動口スイッチ１２ａ、および各入賞口スイッチ３１ａ〜３４ａと、賞球処理の賞球決定処理（Ｓ６０９）およびベース値算出処理（Ｓ６１２）とにより、本発明にかかるベース値取得手段が構成されている。また、当否判定処理（図７）の開放パターン設定処理（Ｓ１０９）により、本発明にかかる継続調整処理が構成されている。
【０１２９】
本実施例４の構成にあっては、上述した実施例１と同様に、ベース値を高くして遊技の健全性を向上させると共に、開閉ラウンドの継続回数を、その期待値が最大ラウンド数の３５％〜６０％となるように制御することで遊技店の利益を確保できる。さらに、当り判定の当選確率と第一始動口１１および第二始動口１２への入賞率とが、実施例１と同様に設定されていることから、実施例１と同様に、大当り発生前に該大当りへの遊技者の期待感を刺激するという従来からの遊技性と、大当り発生後に開閉ラウンドの継続回数の増加への遊技者の期待感を刺激するという新たな遊技性とを提供できる。したがって、本実施例２の構成によれば、上述した実施例１と同様の作用効果が発揮され得る。
【０１３０】
さらに、本実施例４の構成によれば、大当り遊技前の遊技状態におけるベース値を計測し、計測したベース値に応じて、該大当り遊技での開閉ラウンドの継続回数を調整するようにしたから、ベース値の変化により生ずる遊技者の獲得利益の差を、可及的に低減でき、遊技の公平性を向上できる。ここで、予め機台に設定されたベース値の基準値は、該基準値を平均としてある程度の幅で変化しているが、この幅内で生ずる前記獲得利益の差は比較的小さい。しかし、機台が比較的長期に亘って使用された場合には、遊技球の多大な衝突回数によって遊技釘４に変形等を生ずる虞があり、これに伴って、入賞率が変化して、実際のベース値が基準値から比較的大きく変わってしまうこともあり得る。こうした場合にあっても、本実施例の構成によれば、計測したベース値に応じて開閉ラウンドの継続回数を調整することで、基準のベース値と同レベルに復元できるため、前記のように遊技の公平性を保つことができ得る。また、遊技場（遊技店）に設置された後に、故意に遊技釘４が変形される等して、ベース値が変更されることも考えられる。本実施例の構成によれば、こうした故意の変更に対しても、元のベース値と同レベルに調整できることから、該故意の行為を無効化できる。
【０１３１】
尚、本実施例４の構成は、計測したベース値に応じて、開閉ラウンドの継続回数に調整値を加算することにより、該継続回数を直接的に調整するようにしたものであるが、これに限らず、計測したベース値に応じて調整された開閉ラウンドの継続回数を抽選するようにした構成であっても良い。
具体的には、計測したベース値と基準値との差に応じて選択される複数種類の継続回数決定テーブルを予め設定し（図２２）、計測したベース値に応じて、いずれかの継続回数決定テーブルを選択して、選択したテーブルにより開閉ラウンドの継続回数値を決定するようにしても良い。詳述すると、計測したベース値と基準値との差が−２．５％〜＋２．５％の範囲の場合には、図２２に示した第一テーブル（図１３と同じ）が選択されて、該第一テーブルに従って開閉ラウンドの継続回数値を決定する。この第一テーブルは、継続回数の期待値が約８．５回となるように設定されている。また、基準値との差が−５％〜−２．５％の範囲の場合には、期待値が約８．７回となるように設定された第二テーブルを選択して、開閉ラウンドの継続回数値を決定する。また、基準値との差が−１０％〜−５％の範囲の場合には、期待値が約９．０回となるように設定された第三テーブルを選択して、開閉ラウンドの継続回数値を決定する。また、基準値との差が＋２．５％〜＋５％の範囲の場合には、期待値が約８．２回となるように設定された第四テーブルを選択して、開閉ラウンドの継続回数値を決定する。また、基準値との差が＋５％〜＋１０％の範囲の場合には、期待値が約８．０回となるように設定された第五テーブルを選択して、開閉ラウンドの継続回数値を決定する。かかる構成では、開閉ラウンドの継続回数を調整した複数種類の継続回数決定テーブルが予め設定され、計測したベース値に応じていずれかのテーブルを選択することから、実質的に開閉ラウンドの継続回数を調整していることになる。したがって、この別例の構成にあっても、上述した実施例４と同様の作用効果を奏し得る。
【０１３２】
また、本実施例４の構成は、開閉ラウンドの継続回数を乱数抽選により行う実施例１の構成に該継続回数を調整する機能を追加した構成であるが、その他の構成として、実施例２，３の構成に該継続回数を調整する機能を追加したものとすることもできる。
実施例２に追加した構成の場合には、計測したベース値に応じて、大入賞口内の継続領域を開放する回数や時間を変える。これにより、開閉ラウンドの継続回数を調整することができる。具体的には、計測したベース値が基準値（５０％）の−２．５％〜＋２．５％の範囲であれば、上述した実施例２と同じ継続領域の開放作動時間と作動回数とを設定する。この開放作動時間と作動回数とを基準設定値とする。また、ベース値が基準値の−５％〜−２．５％の範囲であれば、開閉ラウンドの４Ｒ〜１２Ｒで、前記基準設定値の作動回数に１加算する。ベース値が基準値の−１０％〜−５％の範囲であれば、開閉ラウンドの４Ｒ〜１２Ｒで、前記基準設定値の作動回数に２加算する。一方、ベース値が基準値の＋２．５％〜＋５％の範囲であれば、開閉ラウンドの４Ｒ〜１２Ｒで、前記基準設定値の作動回数から１減算する。ベース値が基準値の＋５％〜＋１０％の範囲であれば、開閉ラウンドの４Ｒ〜１２Ｒで、前記基準設定値の作動回数から２減算する。こうした別例の構成にあっても、上述した実施例４と同様の作用効果を奏し得る。
一方、実施例３に追加した構成の場合には、計測したベース値に応じて継続判定値を有効として、継続抽選乱数値との判定を行うことにより、実質的に開閉ラウンドの継続回数を調整することができる。具体的には、各ラウンド数に割り当てられた複数の継続判定値を含む継続判定値群が、ベース値に応じて複数設定されており、計測されたベース値に従っていずれかの継続判定値群を選択し、選択した継続判定値群のなかから、ラウンド数に割り当てられた継続判定値を有効として、前記判定に使用する。例えば、計測したベース値が基準値（５０％）の−２．５％〜＋２．５％の範囲であれば、上述した実施例３で示した複数の継続判定値を含む継続判定値群が選択され、当該継続判定値群のなかから、ラウンド数に割り当てられた継続判定値を有効とする。また、ベース値が基準値の−５％〜−２．５％の範囲であれば、前記実施例３の各継続判定値よりも一致確率が夫々２．５％高い複数の継続判定値を含む継続判定値群が選択され、当該継続判定値群のなかから、ラウンド数に割り当てられた継続判定値を有効とする。同様に、ベース値が基準値の−５％〜−２．５％の範囲であれば、前記実施例３の各継続判定値よりも一致確率が夫々５％高い複数の継続判定値を含む継続判定値群が選択され、ベース値が基準値の＋２．５％〜＋５％の範囲であれば、前記実施例３の各継続判定値よりも一致確率が夫々２．５％低い複数の継続判定値を含む継続判定値群が選択され、ベース値が基準値の＋５％〜＋１０％の範囲であれば、前記実施例３の各継続判定値よりも一致確率が夫々５％低い複数の継続判定値を含む継続判定値群が選択される。こうした別例の構成にあっても、上述した実施例４と同様の作用効果を奏し得る。
【０１３３】
本発明にあっては、上述した実施例に限定されるものではなく、上述の実施例以外の構成についても本発明の趣旨の範囲内で適宜変更して実施可能である。
例えば、上述した実施例では、二個の始動口と一個の大入賞口とを備えた構成であるが、これに限らず、始動口と大入賞口との配設数は適宜設定でき、さらに始動口の配設数と大入賞口の配設数とが同数であっても、異なる数であっても良い。
また、複数の始動口を備え、各始動口への入賞に伴って行う大当り遊技（開閉ラウンド）が夫々に異なる態様とした構成にあっても、夫々の大当り遊技で実行される開閉ラウンドの継続回数を、上述した実施例と同様に設定することができる。又は、異なる態様の大当り遊技を行う構成では、その一部の大当り遊技でのみ、上述した実施例と同様に開閉ラウンドの継続回数を設定する構成としても良い。
【０１３４】
また、上述した実施例にあって、開閉ラウンドの継続か否かを決定した内容を、遊技者に報知するようにしても良い。さらには、遊技者の求めに応じてこの決定内容の履歴を報知する機能を備えたものであっても良い。こうした決定内容の報知機能と履歴の報知機能とを上述した実施例３に加えた別例を、以下に説明する。尚、この別例は、前記報知機能の他は実施例３と同じであるから、該報知機能についてのみ説明する。
【０１３５】
この別例の構成では、特別遊技処理のラウンド継続判定処理（図１９のＳ５１５）で、実施例３と同様に、継続抽選乱数値を抽出する処理内容と、継続カウンタに応じて選択した継続判定値で判定する処理内容とを行うと共に、この判定結果を示す結果情報を、サブ統合制御装置８３へ送信する。そして、サブ統合制御装置８３により、図２３に示す継続抽選結果表示処理が実行される。この継続抽選結果表示処理では、主制御装置８０から受信したコマンドに基づいて大当り遊技中か否かを判定し（Ｓ７１０）、否定判定ならば（Ｓ７１０：Ｎｏ）、リターンに進み、肯定判定ならば（Ｓ７１０：Ｙｅｓ）、Ｓ７１１に進む。Ｓ７１１では、開閉ラウンド間のインターバル中であるか否かを判定し、肯定判定ならば（Ｓ７１１：Ｙｅｓ）、Ｓ７１２に進み、否定判定ならば（Ｓ７１１：Ｎｏ）、Ｓ７１４に進む。Ｓ７１２では、主制御装置８０から、前記継続判定の判定結果情報を受信していると、当該判定結果情報をＲＡＭに記憶する。ここで、サブ統合制御装置８３では、同一の開閉ラウンドにおける前記判定結果情報を対応付けて記憶する。続くＳ７１３では、当該インターバル中に受信した判定結果の一覧を、演出図柄表示装置６に表示する。続くＳ７１４では、主制御装置８０から受信したコマンドに基づいて、最終ラウンドが終了したか否かを判定し、否定判定ならば（Ｓ７１４：Ｎｏ）、リターンへ進む。一方、開閉ラウンドが終了した場合には（Ｓ７１４：Ｙｅｓ）、Ｓ７１５に進む。Ｓ７１５では、当該大当り遊技中に各開閉ラウンドでの判定結果情報を全て、ＥＥＰＲＯＭ等の図示しない不揮発性の記憶部に保存し（Ｓ７１５）、リターンに進む。このＳ７１５では、同一の開閉ラウンドにおける各判定結果情報を対応付けた状態で保存すると共に、同一の大当り遊技で行われた各判定結果情報を対応つけて保存する。
【０１３６】
尚、上記した演出図柄表示装置６で表示する判定結果の一覧は、次の開閉ラウンドが開始されるまでのインターバル中でのみ表示するようにしても良いし、当該大当り遊技の終了まで継続して表示するようにしても良い。ここで、大当り遊技の終了まで継続して表示する場合には、各インターバルで新たな判定結果情報を受信する（Ｓ７１２）毎に、該新たな判定結果情報を、表示中の一覧に加えて表示する（Ｓ７１３）。また、こうした判定結果の一覧の報知は、演出図柄表示装置６での表示に限らず、各種ＬＥＤやランプの点灯態様により表示するようにしても良いし、スピーカを介して音声により報知するようにしても良い。また、判定結果情報としては、開閉ラウンドの継続か否かを直接示す情報であっても良いし、継続流線乱数値を示す情報であっても良く、さらには、これら両者を含む情報であっても良い。また、大当り遊技中に行われた判定結果情報を保存する処理では、当該大当り遊技が行われた年月日時に関する情報と対応付けて、該判定結果情報を保存するようにしても良い。
【０１３７】
さらに、上記の別例の構成では、サブ統合制御装置８３により、図２４に示す継続抽選履歴表示処理が実行される。この継続抽選履歴表示処理では、上記した判定結果の履歴を表示するコマンドを受けたか否かを判定する（Ｓ７２０）。このコマンドは、例えば、上記した演出ボタン６７やジョグダイヤル６８が遊技者により所定操作されることに起因して受け付けられるように設定できる。すなわち、遊技者の求めに応じて、判定結果の履歴を表示する。Ｓ７２０で肯定判定すると（Ｓ７２０：Ｙｅｓ）、上記した記憶部に保存されている判定結果情報を読み出し（Ｓ７２１）、読み出した判定結果の履歴一覧を演出図柄表示装置６で表示する（Ｓ７２２）。一方、Ｓ７２０で否定判定すると（Ｓ７２０：Ｎｏ）、リターンに進む。
【０１３８】
尚、上記のＳ７２１では、最新から所定回数の大当り遊技又は開閉ラウンドにおける判定結果情報を読み出すようにしても良いし、保存した全ての判定結果情報を読み出すようにしても良い。また、Ｓ７２２による演出図柄表示装置６での表示では、その画面上に、読み出した全ての判定結果を表示できない場合、一部の判定結果を表示して、例えばジョグダイヤル６８の操作により該判定結果の表示を切り替えたりスクロールしたりするようにしても良い。又は、一定時間の経過により、自動的に判定結果の表示が切り替わるようにしても良い。また、こうした判定結果の履歴表示にあっても、上記したインターバル中での判定結果表示と同様に、演出図柄表示装置６での表示に限らず、各種ＬＥＤやランプの点灯態様により表示するようにしても良いし、スピーカを介して音声により報知するようにしても良い。
【０１３９】
このような別例の構成にあっては、開閉ラウンドを継続するか否かの判定結果を、遊技者に報知することから、該継続の判定（抽選）が行われている事実とその結果とを、該遊技者がはっきりと知得できる。そのため、開閉ラウンドの継続回数を制御することに対して、遊技者の信頼感を保ち得る。また、上記した別例の構成では、開閉ラウンドを継続するか否かの判定結果を、各ラウンド間のインターバル中に報知するようにしたが、これに限らず、一回の大当り遊技が終了した際に、当該大当り遊技で行われた全ての判定結果を報知するようにしても良い。
【０１４０】
また、こうした別例の構成は、実施例３の構成に、開閉ラウンドの継続か否かの決定内容を報知する機能と、この決定内容の履歴を報知する機能とを備えた構成であるが、これら機能を、実施例１、実施例２、および実施例４に設けることもできる。これらいずれであっても、上述した実施例３の別例と同様の作用効果を奏し得る。尚ここで、実施例１または実施例４に設ける構成では、大当り遊技の開始時点で開閉ラウンドの継続回数が決定されていることから、インターバル中に報知する場合は次の開閉ラウンドの実行か否かのみを報知する一方、大当り遊技の終了時点報知する場合は抽選結果を報知できる。また、実施例２に設ける構成では、開閉ラウンドで継続領域に遊技球が通過したか否かの情報を、インターバル中に報知しても良いし、大当り遊技の終了時点で報知するようにしても良い。
【符号の説明】
【０１４１】
１  パチンコ機（弾球遊技機）
２  遊技領域
１１  第一始動口（始動口）
１１ａ  第一始動口スイッチ
１２  第二始動口（始動口）
１２ａ  第二始動口スイッチ
１４  大入賞口
１４  カウントスイッチ
３１  第一普通入賞口（入賞口）
３１ａ  第一入賞口スイッチ
３２  第二普通入賞口（入賞口）
３２ａ  第二入賞口スイッチ
３３  第三普通入賞口（入賞口）
３３ａ  第三入賞口スイッチ
３４  第四普通入賞口（入賞口）
３４ａ  第四入賞口スイッチ
１００  発射球検出スイッチ
１２０  一般領域
１２１  継続領域
１２１ａ  継続カウントスイッチ
【図１】
2018175724.tif 000003
【図２】
2018175724.tif 000004
【図３】
2018175724.tif 000005
【図４】
2018175724.tif 000006
【図５】
2018175724.tif 000007
【図６】
2018175724.tif 000008
【図７】
2018175724.tif 000009
【図８】
2018175724.tif 000010
【図９】
2018175724.tif 000011
【図１０】
2018175724.tif 000012
【図１１】
2018175724.tif 000013
【図１２】
2018175724.tif 000014
【図１３】
2018175724.tif 000015
【図１４】
2018175724.tif 000016
【図１５】
2018175724.tif 000017
【図１６】
2018175724.tif 000018
【図１７】
2018175724.tif 000019
【図１８】
2018175724.tif 000020
【図１９】
2018175724.tif 000021
【図２０】
2018175724.tif 000022
【図２１】
2018175724.tif 000023
【図２２】
2018175724.tif 000024
【図２３】
2018175724.tif 000025
【図２４】
2018175724.tif 000026